(57)【要約】【課題】プレゼンテーションの理解を促すのに好適な表示制御システムを提供する。【解決手段】プロジェクタ２００は、聴講者が検索を要求した対象用語についてその解説を含む説明情報がコンテンツデータに含まれているときは、コンテンツデータのなかから該当の説明情報を取得し、コンテンツデータには含まれていないが辞書データに含まれているときは、辞書データのなかから該当の説明情報を取得し、辞書データにも含まれていないときは、辞書サーバ３００から説明情報をを取得する。そして、取得した説明情報を追加したページデータを生成し、生成したページデータを表示機器１００に送信する。表示機器１００は、受信したページデータに基づいて、対象用語および説明情報を対応付けて表示する。【選択図】図１
2010073219.tif 000002
【特許請求の範囲】
【請求項１】
表示機器の表示を制御する表示制御システムであって、
表示データに含まれる対象情報の補助となる補助情報を取得する補助情報取得手段と、前記表示データに基づいて前記表示機器の表示制御を行う機器表示制御手段とを備え、
前記機器表示制御手段は、前記補助情報取得手段で取得した補助情報を、前記表示データに含まれる該当の対象情報と対応付けて前記表示機器で表示するようになっていることを特徴とする表示制御システム。
【請求項２】
請求項１において、
前記補助情報取得手段は、前記表示データのなかから前記補助情報を含む表示領域のデータを前記補助情報として取得するようになっていることを特徴とする表示制御システム。
【請求項３】
請求項２において、
さらに、前記表示データのうち前記表示機器で表示済みの表示領域を記録する表示領域記録手段を備え、
前記補助情報取得手段は、前記表示領域記録手段の記録結果に基づいて、前記表示データのうち前記表示機器で表示済みの表示領域のなかから、前記補助情報を含む表示領域のデータを前記補助情報として取得するようになっていることを特徴とする表示制御システム。
【請求項４】
請求項１ないし３のいずれか１項において、
さらに、前記補助情報を含む補助データを記憶する補助データ記憶手段を備え、
前記補助情報取得手段は、前記補助データ記憶手段の補助データのなかから前記補助情報を取得するようになっていることを特徴とする表示制御システム。
【請求項５】
請求項１ないし４のいずれか１項において、
前記補助情報取得手段は、前記表示データのなかで指定されている情報を前記対象情報として取得し、取得した対象情報に対応する補助情報を取得するようになっていることを特徴とする表示制御システム。
【請求項６】
請求項１ないし５のいずれか１項において、
前記補助情報取得手段は、前記表示データのなかから任意の情報を前記対象情報として取得し、取得した対象情報に対応する補助情報を取得するようになっていることを特徴とする表示制御システム。
【請求項７】
請求項４ないし６のいずれか１項において、
前記補助データは、辞書データであることを特徴とする表示制御システム。
【請求項８】
請求項１ないし７のいずれか１項において、
前記補助情報を蓄積する補助情報蓄積装置を通信可能に接続し、
前記補助情報取得手段は、前記補助情報蓄積装置から前記補助情報を取得するようになっていることを特徴とする表示制御システム。
【請求項９】
請求項１ないし８のいずれか１項において、
前記補助情報は、所定の情報レベルが設定されており、
さらに、前記情報レベルを設定する情報レベル設定手段を備え、
前記機器表示制御手段は、前記補助情報取得手段で取得した補助情報のうち前記情報レベル設定手段で設定した情報レベル以上のものを前記表示機器で表示するようになっていることを特徴とする表示制御システム。
【請求項１０】
請求項１ないし９のいずれか１項において、
さらに、音声を入力する音声入力手段を備え、
前記機器表示制御手段は、前記音声入力手段から音声を所定時間以上入力しないと判定したときは、前記補助情報を前記表示機器で表示するようになっていることを特徴とする表示制御システム。
【請求項１１】
請求項１ないし１０のいずれか１項において、
さらに、画像を入力する画像入力手段を備え、
前記機器表示制御手段は、前記画像入力手段で入力した画像が所定時間変化しないと判定したときは、前記補助情報を前記表示機器で表示するようになっていることを特徴とする表示制御システム。
【請求項１２】
請求項１ないし１１のいずれか１項において、
前記機器表示制御手段は、前記表示機器からの提供要求に応じて前記補助情報を前記表示機器で表示するようになっていることを特徴とする表示制御システム。
【請求項１３】
請求項１ないし１２のいずれか１項において、
さらに、前記表示機器で前記補助情報を表示した表示履歴を示す表示履歴情報を表示履歴情報記憶手段に登録する表示履歴情報登録手段を備えることを特徴とする表示制御システム。
【請求項１４】
請求項１３において、
さらに、前記表示履歴情報記憶手段の表示履歴情報を提供する表示履歴情報提供手段を備えることを特徴とする表示制御システム。
【請求項１５】
請求項１ないし１４のいずれか１項において、
さらに、前記補助情報取得手段で取得した補助情報を、前記表示データのうち該当の対象情報を含む表示領域のデータに追加した追加表示データを生成する追加表示データ生成手段を備え、
前記機器表示制御手段は、前記追加表示データ生成手段で生成した追加表示データに基づいて表示制御を行うようになっていることを特徴とする表示制御システム。
【請求項１６】
請求項１ないし１５のいずれか１項において、
少なくとも２つの前記表示機器を通信可能に接続し、
前記機器表示制御手段は、前記補助情報取得手段で取得した補助情報を一方の前記表示機器で表示するとともに、前記表示データに含まれる該当の対象情報を他方の前記表示機器で表示するようになっていることを特徴とする表示制御システム。
【請求項１７】
請求項１６において、
さらに、前記表示機器の重なり順序を検出する重複順序検出手段を備え、
前記機器表示制御手段は、前記重複順序検出手段の検出結果に基づいて、前記補助情報取得手段で取得した補助情報を最上段の前記表示機器で表示するとともに、前記表示データに含まれる該当の対象情報をそれ以外の前記表示機器で表示するようになっていることを特徴とする表示制御システム。
【請求項１８】
表示機器と通信可能に接続し、前記表示機器を管理する機器管理装置であって、
表示データに含まれる対象情報の補助となる補助情報を取得する補助情報取得手段と、前記補助情報取得手段で取得した補助情報を前記表示機器に送信する補助情報送信手段とを備えることを特徴とする機器管理装置。
【請求項１９】
機器管理装置と通信可能に接続し、前記機器管理装置と連携して表示を制御する表示機器であって、
表示データに含まれる対象情報の補助となる補助情報を受信する補助情報受信手段と、前記表示データに基づいて表示制御を行う表示制御手段とを備え、
前記表示制御手段は、前記補助情報受信手段で受信した補助情報を、前記表示データに含まれる該当の対象情報と対応付けて表示するようになっていることを特徴とする表示機器。
【請求項２０】
表示機器と通信可能に接続し、前記表示機器を管理する機器管理装置として動作するコンピュータに実行させるための機器管理プログラムであって、
表示データに含まれる対象情報の補助となる補助情報を取得する補助情報取得ステップと、前記補助情報取得ステップで取得した補助情報を前記表示機器に送信する補助情報送信ステップとからなる処理を前記コンピュータに実行させるためのプログラムを含むことを特徴とする機器管理プログラム。
【請求項２１】
機器管理装置と通信可能に接続し、前記機器管理装置と連携して表示を制御する表示機器として動作するコンピュータに実行させるための表示制御プログラムであって、
表示データに含まれる対象情報の補助となる補助情報を受信する補助情報受信ステップと、前記表示データに基づいて表示制御を行う表示制御ステップとからなる処理を前記コンピュータに実行させるためのプログラムを含み、
前記表示制御ステップは、前記補助情報受信ステップで受信した補助情報を、前記表示データに含まれる該当の対象情報と対応付けて表示することを特徴とする表示制御プログラム。
【請求項２２】
表示機器の表示を制御する表示制御方法であって、
表示データに含まれる対象情報の補助となる補助情報を取得する補助情報取得ステップと、前記表示データに基づいて前記表示機器の表示制御を行う機器表示制御ステップとを含み、
前記機器表示制御ステップは、前記補助情報取得ステップで取得した補助情報を、前記表示データに含まれる該当の対象情報と対応付けて前記表示機器で表示することを特徴とする表示制御方法。
【発明の詳細な説明】
【技術分野】
【０００１】
本発明は、表示機器の表示を制御するシステムおよび方法、並びにこれに適用する装置、機器およびプログラムに係り、特に、プレゼンテーションの理解を促すのに好適な表示制御システム、機器管理装置、表示機器、機器管理プログラムおよび表示制御プログラム、並びに表示制御方法に関する。
【背景技術】
【０００２】
プレゼンテーションや会議の会場においては、発表者の利用に供する表示機器と、各聴講者の利用に供する複数の表示機器とをネットワークで接続し、プレゼンテーション資料であるコンテンツデータを各表示機器に配信し、発表者および各聴講者がプレゼンテーション資料を自己の表示機器で表示しながらプレゼンテーションを行うシステムが知られている。
【０００３】
従来、こうしたプレゼンテーションシステムとしては、例えば、各表示機器および管理サーバをネットワークで接続し、管理サーバから各表示機器にコンテンツデータを配信しておき、表示機器は、ユーザからの操作に応じて任意のページを表示するものである。
しかしながら、聴講者は、コンテンツデータのなかで自分が知らない用語が使われている場合、コンテンツデータのいずれかのページにその説明が掲載されているときは、表示機器を操作しながら１ページずつ内容を確認しなければならない。
【０００４】
この問題を解決するため、コンテンツデータに含まれる情報を検索する技術が提案されており、例えば、特許文献１記載のプレゼンテーションプログラムの制御方法が知られている。
特許文献１記載の発明は、コンテンツデータの内容を解析して解析キーワードを抽出し、ユーザの音声指示に基づいて音声指示キーワードを抽出し、抽出した音声指示キーワードと解析キーワードに基づいて、音声指示キーワードに対応するページに移動するものである。
【先行技術文献】
【特許文献】
【０００５】
【特許文献１】特開２００１−２４９７５６号公報
【発明の概要】
【発明が解決しようとする課題】
【０００６】
プレゼンテーションは、通常、限られた短い時間内で行われるため、プレゼンテーションの理解を促すには、発表者が現在説明しているページを参照しながらも、聴講者が必要とする情報をすばやく参照できることが必要である。例えば、聴講者が現在参照しているページにおいて知らない用語が存在し、かつ、その用語の解説が他のページに存在する場合は、解説をすばやく参照できることはもちろん、解説を参照した後は元のページにすばやく戻れることが望ましい。
【０００７】
しかしながら、特許文献１記載の発明にあっては、所望の情報を検索すると、その情報が掲載されているページに単に移動するだけなので、聴講者が直前に参照していたページに戻りたい場合は、表示機器を操作して該当のページを探さなければならない。したがって、必要とする情報を参照するたびにページ操作の作業が発生し、プレゼンテーションの理解を十分に促すことができないという問題があった。
【０００８】
そこで、本発明は、このような従来の技術の有する未解決の課題に着目してなされたものであって、プレゼンテーションの理解を促すのに好適な表示制御システム、機器管理装置、表示機器、機器管理プログラムおよび表示制御プログラム、並びに表示制御方法を提供することを目的としている。
【課題を解決するための手段】
【０００９】
〔発明１〕
上記目的を達成するために、発明１の表示制御システムは、
表示機器の表示を制御する表示制御システムであって、
表示データに含まれる対象情報の補助となる補助情報を取得する補助情報取得手段と、前記表示データに基づいて前記表示機器の表示制御を行う機器表示制御手段とを備え、
前記機器表示制御手段は、前記補助情報取得手段で取得した補助情報を、前記表示データに含まれる該当の対象情報と対応付けて前記表示機器で表示するようになっていることを特徴とする。
【００１０】
このような構成であれば、補助情報取得手段により、表示データに含まれる対象情報の補助となる補助情報が取得され、機器表示制御手段により、取得された補助情報が、表示データに含まれる該当の対象情報と対応付けられて表示機器で表示される。
これにより、対象情報と対応付けられてその補助情報が表示されるので、必要とする情報を得ることができ、また、補助情報を参照してもページ操作等の作業が発生することもない。したがって、従来に比して、プレゼンテーションの理解を促すことができるという効果が得られる。
【００１１】
ここで、補助情報取得手段は、補助情報を取得するようになっていればどのような構成であってもよく、表示データその他のデータから補助情報を取得するようになっていてもよいし、記憶装置、機器管理装置その他の装置または記憶媒体から補助情報を取得するようになっていてもよい。以下、発明１８の機器管理装置において同じである。
また、補助情報とは、対象情報の補助となる情報をいい、これには、例えば、対象情報の概要、解説、詳説その他の説明を含む説明情報、対象情報に関連する関連情報、またはそのような情報へのリンク情報が含まれる。以下、発明１８の機器管理装置、発明３５の表示機器、発明４２の機器管理プログラム、発明５９の表示制御プログラム、および発明６６の表示制御方法において同じである。
【００１２】
また、本システムは、表示機器からなる単体の機器として実現するようにしてもよいし、機器管理装置その他の機器を通信可能に接続したネットワークシステムとして実現するようにしてもよい。後者の場合、各構成要素は、それぞれ通信可能に接続されていれば、複数の機器等のうちいずれに属していてもよい。
【００１３】
〔発明２〕
さらに、発明２の表示制御システムは、発明１の表示制御システムにおいて、
前記補助情報取得手段は、前記表示データのなかから前記補助情報を含む表示領域のデータを前記補助情報として取得するようになっていることを特徴とする。
【００１４】
このような構成であれば、補助情報取得手段により、表示データのなかから補助情報を含む表示領域のデータが補助情報として取得される。
これにより、対象情報に対応する補助情報が表示データに含まれていれば、その補助情報を参照することができるので、発表者が意図した内容の補助情報を得ることができるという効果が得られる。
【００１５】
ここで、表示領域とは、所定の表示単位の領域をいい、これには、例えば、ページ単位の領域が含まれる。以下、発明１５の表示制御システム、発明１９および３２の機器管理装置、発明３８および３９の表示機器、発明４３および５６の機器管理プログラム、発明６２および６３の表示制御プログラム、並びに発明６７および８０の表示制御方法において同じである。
【００１６】
〔発明３〕
さらに、発明３の表示制御システムは、発明２の表示制御システムにおいて、
さらに、前記表示データのうち前記表示機器で表示済みの表示領域を記録する表示領域記録手段を備え、
前記補助情報取得手段は、前記表示領域記録手段の記録結果に基づいて、前記表示データのうち前記表示機器で表示済みの表示領域のなかから、前記補助情報を含む表示領域のデータを前記補助情報として取得するようになっていることを特徴とする。
【００１７】
このような構成であれば、表示領域記録手段により、表示データのうち表示機器で表示済みの表示領域が記録される。そして、補助情報取得手段により、その記録結果に基づいて、表示データのうち表示機器で表示済みの表示領域のなかから、補助情報を含む表示領域のデータが補助情報として取得される。
これにより、表示機器で表示済みの表示領域に限って補助情報が検索されるので、演出上効果的な内容等を発表に先行して聴講者に閲覧されるのを防止することができ、効果的なプレゼンテーションを行うことができるという効果が得られる。
【００１８】
〔発明４〕
さらに、発明４の表示制御システムは、発明１ないし３のいずれか１の表示制御システムにおいて、
さらに、前記補助情報を含む補助データを記憶する補助データ記憶手段を備え、
前記補助情報取得手段は、前記補助データ記憶手段の補助データのなかから前記補助情報を取得するようになっていることを特徴とする。
【００１９】
このような構成であれば、補助情報取得手段により、補助データ記憶手段の補助データのなかから補助情報が取得される。
これにより、対象情報に対応する補助情報が表示データに含まれていなくても補助データに存在すれば、補助情報を参照することができるので、補助情報が得られずプレゼンテーションの理解が損なわれる可能性を低減することができるという効果が得られる。
【００２０】
ここで、補助データ記憶手段は、補助データをあらゆる手段でかつあらゆる時期に記憶するものであり、補助データをあらかじめ記憶してあるものであってもよいし、補助データをあらかじめ記憶することなく、本システムの動作時に外部からの入力等によって補助データを記憶するようになっていてもよい。以下、発明２１の機器管理装置において同じである。
【００２１】
〔発明５〕
さらに、発明５の表示制御システムは、発明１ないし４のいずれか１の表示制御システムにおいて、
前記補助情報取得手段は、前記表示データのなかで指定されている情報を前記対象情報として取得し、取得した対象情報に対応する補助情報を取得するようになっていることを特徴とする。
【００２２】
このような構成であれば、補助情報取得手段により、表示データのなかで指定されている情報が対象情報として取得され、取得された対象情報に対応する補助情報が取得される。
これにより、表示データの作成時に対象情報を指定しておけば、その補助情報については比較的確実に参照することができるという効果が得られる。
【００２３】
〔発明６〕
さらに、発明６の表示制御システムは、発明１ないし５のいずれか１の表示制御システムにおいて、
前記補助情報取得手段は、前記表示データのなかから任意の情報を前記対象情報として取得し、取得した対象情報に対応する補助情報を取得するようになっていることを特徴とする。
【００２４】
このような構成であれば、補助情報取得手段により、表示データのなかから対象情報が取得され、取得された対象情報に対応する補助情報が取得される。
これにより、表示データの作成時に対象情報を指定しなくても補助情報を参照することができるので、表示データの作成に要する時間や手間を低減することができるという効果が得られる。
【００２５】
〔発明７〕
さらに、発明７の表示制御システムは、発明４ないし６のいずれか１の表示制御システムにおいて、
前記補助データは、辞書データであることを特徴とする。
このような構成であれば、補助情報取得手段により、辞書データのなかから補助情報が取得される。
【００２６】
これにより、補助データを作成しなくても、他のプレゼンテーション等で利用した辞書データを利用することができるので、補助データの準備に要する時間や手間を低減することができるという効果が得られる。
【００２７】
〔発明８〕
さらに、発明８の表示制御システムは、発明１ないし７のいずれか１の表示制御システムにおいて、
前記補助情報を蓄積する補助情報蓄積装置を通信可能に接続し、
前記補助情報取得手段は、前記補助情報蓄積装置から前記補助情報を取得するようになっていることを特徴とする。
【００２８】
このような構成であれば、補助情報取得手段により、補助情報蓄積装置から補助情報が取得される。
これにより、対象情報に対応する補助情報が表示データに含まれていなくても補助情報蓄積装置に存在すれば、補助情報を参照することができるので、補助情報が得られずプレゼンテーションの理解が損なわれる可能性を低減することができるという効果が得られる。
【００２９】
ここで、補助情報取得手段は、補助情報蓄積装置から補助情報を取得するようになっていればどのような構成であってもよく、例えば、補助情報蓄積装置から補助情報を直接取得するようになっているほか、補助情報蓄積装置から補助情報を間接的に取得するようになっていてもよい。間接的に取得する場合には、例えば、外部端末と通信可能に接続し、その外部端末を介して補助情報蓄積装置から補助情報を取得することが含まれる。すなわち、補助情報の取得は、１または複数の外部端末の協働により行うことも可能である。以下、対象から情報を取得する場合、対象に情報を送信する場合、および対象に情報を提供する場合については同様である。
【００３０】
〔発明９〕
さらに、発明９の表示制御システムは、発明１ないし８のいずれか１の表示制御システムにおいて、
前記補助情報は、所定の情報レベルが設定されており、
さらに、前記情報レベルを設定する情報レベル設定手段を備え、
前記機器表示制御手段は、前記補助情報取得手段で取得した補助情報のうち前記情報レベル設定手段で設定した情報レベル以上のものを前記表示機器で表示するようになっていることを特徴とする。
【００３１】
このような構成であれば、聴講者は、情報レベル設定手段により自己の知識レベルに応じた情報レベルを設定すると、機器表示制御手段により、取得された補助情報のうち設定された情報レベル以上のものが表示機器で表示される。
これにより、聴講者の知識レベルに応じた内容の補助情報を参照することができるので、プレゼンテーションの理解をさらに促すことができるという効果が得られる。
【００３２】
〔発明１０〕
さらに、発明１０の表示制御システムは、発明１ないし９のいずれか１の表示制御システムにおいて、
さらに、音声を入力する音声入力手段を備え、
前記機器表示制御手段は、前記音声入力手段から音声を所定時間以上入力しないと判定したときは、前記補助情報を前記表示機器で表示するようになっていることを特徴とする。
【００３３】
このような構成であれば、機器表示制御手段により、音声入力手段から音声を所定時間以上入力しないと判定されると、補助情報が表示機器で表示される。
これにより、発表者が話をしていないと思われるタイミングで補助情報が表示されるので、発表者の説明に集中する必要のない時間を利用して補助情報を参照することができる。したがって、プレゼンテーションの理解をさらに促すことができるという効果が得られる。
【００３４】
〔発明１１〕
さらに、発明１１の表示制御システムは、発明１ないし１０のいずれか１の表示制御システムにおいて、
さらに、画像を入力する画像入力手段を備え、
前記機器表示制御手段は、前記画像入力手段で入力した画像が所定時間変化しないと判定したときは、前記補助情報を前記表示機器で表示するようになっていることを特徴とする。
【００３５】
このような構成であれば、機器表示制御手段により、画像入力手段で入力した画像が所定時間変化しないと判定されると、補助情報が表示機器で表示される。
これにより、発表者が動作をしていないと思われるタイミングで補助情報が表示されるので、発表者の説明に集中する必要のない時間を利用して補助情報を参照することができる。したがって、プレゼンテーションの理解をさらに促すことができるという効果が得られる。
【００３６】
〔発明１２〕
さらに、発明１２の表示制御システムは、発明１ないし１１のいずれか１の表示制御システムにおいて、
前記機器表示制御手段は、前記表示機器からの提供要求に応じて前記補助情報を前記表示機器で表示するようになっていることを特徴とする。
【００３７】
このような構成であれば、機器表示制御手段により、表示機器からの提供要求に応じて補助情報が表示機器で表示される。
これにより、聴講者が必要とするタイミングで補助情報が表示されるので、聴講者の希望に沿った情報提供を実現することができる。したがって、プレゼンテーションの理解をさらに促すことができるという効果が得られる。
【００３８】
〔発明１３〕
さらに、発明１３の表示制御システムは、発明１ないし１２のいずれか１の表示制御システムにおいて、
さらに、前記表示機器で前記補助情報を表示した表示履歴を示す表示履歴情報を表示履歴情報記憶手段に登録する表示履歴情報登録手段を備えることを特徴とする。
【００３９】
このような構成であれば、表示履歴情報登録手段により、表示機器で補助情報を表示した表示履歴を示す表示履歴情報が表示履歴情報記憶手段に登録される。
これにより、表示履歴情報を参照すれば、どのような補助情報が参照されたかを把握することができるので、発表者は、これをもとに発表内容について検討を行うことができるという効果が得られる。
【００４０】
〔発明１４〕
さらに、発明１４の表示制御システムは、発明１３の表示制御システムにおいて、
さらに、前記表示履歴情報記憶手段の表示履歴情報を提供する表示履歴情報提供手段を備えることを特徴とする。
【００４１】
このような構成であれば、表示履歴情報提供手段により、表示履歴情報記憶手段の表示履歴情報が提供される。
これにより、表示履歴情報の提供を受けることができるので、表示履歴情報の入手が容易となるという効果が得られる。
【００４２】
〔発明１５〕
さらに、発明１５の表示制御システムは、発明１ないし１４のいずれか１の表示制御システムにおいて、
さらに、前記補助情報取得手段で取得した補助情報を、前記表示データのうち該当の対象情報を含む表示領域のデータに追加した追加表示データを生成する追加表示データ生成手段を備え、
前記機器表示制御手段は、前記追加表示データ生成手段で生成した追加表示データに基づいて表示制御を行うようになっていることを特徴とする。
【００４３】
このような構成であれば、追加表示データ生成手段により、取得された補助情報が、表示データのうち該当の対象情報を含む表示領域のデータに追加されて追加表示データが生成され、機器表示制御手段により、生成された追加表示データに基づいて表示制御が行われる。
これにより、表示データのうち対象情報を含む表示領域の内容やレイアウトをさほど変更することなく補助情報を参照することができるという効果が得られる。
【００４４】
〔発明１６〕
さらに、発明１６の表示制御システムは、発明１ないし１５のいずれか１の表示制御システムにおいて、
少なくとも２つの前記表示機器を通信可能に接続し、
前記機器表示制御手段は、前記補助情報取得手段で取得した補助情報を一方の前記表示機器で表示するとともに、前記表示データに含まれる該当の対象情報を他方の前記表示機器で表示するようになっていることを特徴とする。
【００４５】
このような構成であれば、機器表示制御手段により、取得された補助情報が一方の表示機器で表示されるとともに、表示データに含まれる該当の対象情報が他方の表示機器で表示される。
これにより、対象情報および補助情報が別々の表示機器で表示されるので、表示データのうち対象情報を含む表示領域の内容やレイアウトを変更することなく補助情報を参照することができるという効果が得られる。
【００４６】
〔発明１７〕
さらに、発明１７の表示制御システムは、発明１６の表示制御システムにおいて、
さらに、前記表示機器の重なり順序を検出する重複順序検出手段を備え、
前記機器表示制御手段は、前記重複順序検出手段の検出結果に基づいて、前記補助情報取得手段で取得した補助情報を最上段の前記表示機器で表示するとともに、前記表示データに含まれる該当の対象情報をそれ以外の前記表示機器で表示するようになっていることを特徴とする。
【００４７】
このような構成であれば、重複順序検出手段により、表示機器の重なり順序が検出される。そして、機器表示制御手段により、その検出結果に基づいて、取得された補助情報が最上段の表示機器で表示されるとともに、表示データに含まれる該当の対象情報がそれ以外の表示機器で表示される。
これにより、重なり合っている表示機器のうち最上段のもので補助情報が表示されるので、補助情報が参照しやすくなるという効果が得られる。
【００４８】
〔発明１８〕
一方、上記目的を達成するために、発明１８の機器管理装置は、
表示機器と通信可能に接続し、前記表示機器を管理する機器管理装置であって、
表示データに含まれる対象情報の補助となる補助情報を取得する補助情報取得手段と、前記補助情報取得手段で取得した補助情報を前記表示機器に送信する補助情報送信手段とを備えることを特徴とする。
【００４９】
このような構成であれば、補助情報取得手段により、表示データに含まれる対象情報の補助となる補助情報が取得され、補助情報送信手段により、取得された補助情報が表示機器に送信される。ここで、送信先の表示機器として、例えば、発明３５の表示機器を利用した場合は、表示機器では、補助情報を受信すると、表示制御手段により、受信した補助情報が、表示データに含まれる該当の対象情報と対応付けられて表示される。
これにより、発明１の表示制御システムと同等の効果が得られる。
【００５０】
〔発明１９〕
さらに、発明１９の機器管理装置は、発明１８の機器管理装置において、
前記補助情報取得手段は、前記表示データのなかから前記補助情報を含む表示領域のデータを前記補助情報として取得するようになっていることを特徴とする。
このような構成であれば、発明２の表示制御システムと同等の作用および効果が得られる。
【００５１】
〔発明２０〕
さらに、発明２０の機器管理装置は、発明１９の機器管理装置において、
さらに、前記表示データのうち前記表示機器で表示済みの表示領域を記録する表示領域記録手段を備え、
前記補助情報取得手段は、前記表示領域記録手段の記録結果に基づいて、前記表示データのうち前記表示機器で表示済みの表示領域のなかから、前記補助情報を含む表示領域のデータを前記補助情報として取得するようになっていることを特徴とする。
このような構成であれば、発明３の表示制御システムと同等の作用および効果が得られる。
【００５２】
〔発明２１〕
さらに、発明２１の機器管理装置は、発明１８ないし２０のいずれか１の機器管理装置において、
さらに、前記補助情報を含む補助データを記憶する補助データ記憶手段を備え、
前記補助情報取得手段は、前記補助データ記憶手段の補助データのなかから前記補助情報を取得するようになっていることを特徴とする。
このような構成であれば、発明４の表示制御システムと同等の作用および効果が得られる。
【００５３】
〔発明２２〕
さらに、発明２２の機器管理装置は、発明１８ないし２１のいずれか１の機器管理装置において、
前記補助情報取得手段は、前記表示データのなかで指定されている情報を前記対象情報として取得し、取得した対象情報に対応する補助情報を取得するようになっていることを特徴とする。
このような構成であれば、発明５の表示制御システムと同等の作用および効果が得られる。
【００５４】
〔発明２３〕
さらに、発明２３の機器管理装置は、発明１８ないし２２のいずれか１の機器管理装置において、
前記補助情報取得手段は、前記表示データのなかから任意の情報を前記対象情報として取得し、取得した対象情報に対応する補助情報を取得するようになっていることを特徴とする。
このような構成であれば、発明６の表示制御システムと同等の作用および効果が得られる。
【００５５】
〔発明２４〕
さらに、発明２４の機器管理装置は、発明２１ないし２３のいずれか１の機器管理装置において、
前記補助データは、辞書データであることを特徴とする。
このような構成であれば、発明７の表示制御システムと同等の作用および効果が得られる。
【００５６】
〔発明２５〕
さらに、発明２５の機器管理装置は、発明１８ないし２４のいずれか１の機器管理装置において、
前記補助情報を蓄積する補助情報蓄積装置と通信可能に接続し、
前記補助情報取得手段は、前記補助情報蓄積装置から前記補助情報を取得するようになっていることを特徴とする。
このような構成であれば、発明８の表示制御システムと同等の作用および効果が得られる。
【００５７】
〔発明２６〕
さらに、発明２６の機器管理装置は、発明１８ないし２５のいずれか１の機器管理装置において、
前記補助情報は、所定の情報レベルが設定されており、
さらに、前記情報レベルを設定する情報レベル設定手段を備え、
前記補助情報送信手段は、前記補助情報取得手段で取得した補助情報のうち前記情報レベル設定手段で設定した情報レベル以上のものを前記表示機器に送信するようになっていることを特徴とする。
【００５８】
このような構成であれば、聴講者は、情報レベル設定手段により自己の知識レベルに応じた情報レベルを設定すると、補助情報送信手段により、取得された補助情報のうち設定された情報レベル以上のものが表示機器に送信される。
これにより、発明９の表示制御システムと同等の効果が得られる。
【００５９】
〔発明２７〕
さらに、発明２７の機器管理装置は、発明１８ないし２６のいずれか１の機器管理装置において、
さらに、音声を入力する音声入力手段を備え、
前記補助情報送信手段は、前記音声入力手段から音声を所定時間以上入力しないと判定したときは、前記補助情報を前記表示機器に送信するようになっていることを特徴とする。
【００６０】
このような構成であれば、補助情報送信手段により、音声入力手段から音声を所定時間以上入力しないと判定されると、補助情報が表示機器に送信される。
これにより、発明１０の表示制御システムと同等の効果が得られる。
【００６１】
〔発明２８〕
さらに、発明２８の機器管理装置は、発明１８ないし２７のいずれか１の機器管理装置において、
さらに、画像を入力する画像入力手段を備え、
前記補助情報送信手段は、前記画像入力手段で入力した画像が所定時間変化しないと判定したときは、前記補助情報を前記表示機器に送信するようになっていることを特徴とする。
【００６２】
このような構成であれば、補助情報送信手段により、画像入力手段で入力した画像が所定時間変化しないと判定されると、補助情報が表示機器に送信される。
これにより、発明１１の表示制御システムと同等の効果が得られる。
【００６３】
〔発明２９〕
さらに、発明２９の機器管理装置は、発明１８ないし２８のいずれか１の機器管理装置において、
前記補助情報送信手段は、前記表示機器からの提供要求に応じて前記補助情報を前記表示機器に送信するようになっていることを特徴とする。
このような構成であれば、補助情報送信手段により、表示機器からの提供要求に応じて補助情報が表示機器に送信される。
これにより、発明１２の表示制御システムと同等の効果が得られる。
【００６４】
〔発明３０〕
さらに、発明３０の機器管理装置は、発明１８ないし２９のいずれか１の機器管理装置において、
さらに、前記表示機器で前記補助情報を表示した表示履歴を示す表示履歴情報を表示履歴情報記憶手段に登録する表示履歴情報登録手段を備えることを特徴とする。
このような構成であれば、発明１３の表示制御システムと同等の作用および効果が得られる。
【００６５】
〔発明３１〕
さらに、発明３１の機器管理装置は、発明３０の機器管理装置において、
さらに、前記表示履歴情報記憶手段の表示履歴情報を提供する表示履歴情報提供手段を備えることを特徴とする。
このような構成であれば、発明１４の表示制御システムと同等の作用および効果が得られる。
【００６６】
〔発明３２〕
さらに、発明３２の機器管理装置は、発明１８ないし３１のいずれか１の機器管理装置において、
さらに、前記補助情報取得手段で取得した補助情報を、前記表示データのうち該当の対象情報を含む表示領域のデータに追加した追加表示データを生成する追加表示データ生成手段を備え、
前記補助情報送信手段は、前記追加表示データ生成手段で生成した追加表示データを前記表示機器に送信するようになっていることを特徴とする。
【００６７】
このような構成であれば、追加表示データ生成手段により、取得された補助情報が、表示データのうち該当の対象情報を含む表示領域のデータに追加されて追加表示データが生成され、補助情報送信手段により、生成された追加表示データが送信される。ここで、送信先の表示機器として、例えば、発明３８の表示機器を利用した場合は、表示機器では、追加表示データ受信手段により追加表示データを受信すると、表示制御手段により、受信した追加表示データに基づいて表示制御が行われる。
これにより、発明１５の表示制御システムと同等の効果が得られる。
【００６８】
〔発明３３〕
さらに、発明３３の機器管理装置は、発明１８ないし３２のいずれか１の機器管理装置において、
複数の前記表示機器と通信可能に接続し、
さらに、複数の前記表示機器をグループ化して管理するグループ管理手段を備え、
前記補助情報送信手段は、前記補助情報取得手段で取得した補助情報を、前記グループ管理手段で管理されているグループに属する所定の前記表示機器に送信するようになっていることを特徴とする。
【００６９】
このような構成であれば、補助情報送信手段により、取得された補助情報が、グループ管理手段で管理されているグループに属する所定の表示機器に送信される。例えば、聴講者が２つの表示機器を所持している場合、それらを１つのグループとしてグループ化しておけば、聴講者が所持している所定の表示機器で補助情報が表示される。
これにより、発明１６の表示制御システムと同等の効果が得られる。
【００７０】
〔発明３４〕
さらに、発明３４の機器管理装置は、発明３３の機器管理装置において、
前記表示機器は、前記表示機器の重なり順序を検出する重複順序検出手段を有し、
前記補助情報送信手段は、前記重複順序検出手段の検出結果に基づいて、前記補助情報取得手段で取得した補助情報を、同一グループに属する表示機器のうち最上段の前記表示機器に送信するようになっていることを特徴とする。
【００７１】
このような構成であれば、表示機器では、重複順序検出手段により、表示機器の重なり順序が検出される。
機器管理装置では、補助情報送信手段により、その検出結果に基づいて、取得された補助情報が、同一グループに属する表示機器のうち最上段の表示機器に送信される。
これにより、発明１７の表示制御システムと同等の効果が得られる。
【００７２】
〔発明３５〕
一方、上記目的を達成するために、発明３５の表示機器は、
機器管理装置と通信可能に接続し、前記機器管理装置と連携して表示を制御する表示機器であって、
表示データに含まれる対象情報の補助となる補助情報を受信する補助情報受信手段と、前記表示データに基づいて表示制御を行う表示制御手段とを備え、
前記表示制御手段は、前記補助情報受信手段で受信した補助情報を、前記表示データに含まれる該当の対象情報と対応付けて表示するようになっていることを特徴とする。
【００７３】
このような構成であれば、補助情報受信手段により、表示データに含まれる対象情報の補助となる補助情報を受信すると、表示制御手段により、受信した補助情報が、表示データに含まれる該当の対象情報と対応付けられて表示される。
これにより、発明１の表示制御システムと同等の効果が得られる。
【００７４】
〔発明３６〕
さらに、発明３６の表示機器は、発明３５の表示機器において、
前記補助情報は、所定の情報レベルが設定されており、
さらに、前記情報レベルを設定する情報レベル設定手段を備え、
前記表示制御手段は、前記補助情報受信手段で受信した補助情報のうち前記情報レベル設定手段で設定した情報レベル以上のものを表示するようになっていることを特徴とする。
【００７５】
このような構成であれば、聴講者は、情報レベル設定手段により自己の知識レベルに応じた情報レベルを設定すると、表示制御手段により、受信した補助情報のうち設定された情報レベル以上のものが表示される。発明２６が補助情報の選択を機器管理装置で行うのに対して、本発明は、補助情報の選択を表示機器で行う点で異なる。
これにより、発明９の表示制御システムと同等の効果が得られる。
【００７６】
〔発明３７〕
さらに、発明３７の表示機器は、発明３５および３６のいずれか１の表示機器において、
前記表示制御手段は、前記補助情報の表示が要求されたときは、前記機器管理装置に提供要求を送信するようになっていることを特徴とする。
【００７７】
このような構成であれば、補助情報の表示が要求されると、表示制御手段により、機器管理装置に提供要求が送信される。ここで、送信先の機器管理装置として、例えば、発明２９の機器管理装置を利用した場合は、機器管理装置では、補助情報送信手段により、表示機器からの提供要求に応じて補助情報が表示機器に送信される。
これにより、発明１２の表示制御システムと同等の効果が得られる。
【００７８】
〔発明３８〕
さらに、発明３８の表示機器は、発明３５ないし３７のいずれか１の表示機器において、
さらに、前記表示データのうち前記対象情報を含む表示領域のデータに前記補助情報を追加した追加表示データを受信する追加表示データ受信手段を備え、
前記表示制御手段は、前記追加表示データ受信手段で受信した追加表示データに基づいて表示制御を行うようになっていることを特徴とする。
このような構成であれば、追加表示データ受信手段により追加表示データを受信すると、表示制御手段により、受信した追加表示データに基づいて表示制御が行われる。
これにより、発明１５の表示制御システムと同等の効果が得られる。
【００７９】
〔発明３９〕
さらに、発明３９の表示機器は、発明３５ないし３７のいずれか１の表示機器において、
さらに、前記補助情報受信手段で受信した補助情報を、前記表示データのうち該当の対象情報を含む表示領域のデータに追加した追加表示データを生成する追加表示データ生成手段を備え、
前記表示制御手段は、前記追加表示データ生成手段で生成した追加表示データに基づいて表示制御を行うようになっていることを特徴とする。
【００８０】
このような構成であれば、追加表示データ生成手段により、受信した補助情報が、表示データのうち該当の対象情報を含む表示領域のデータに追加されて追加表示データが生成され、表示制御手段により、生成された追加表示データに基づいて表示制御が行われる。発明３２が追加表示データの生成を機器管理装置で行うのに対して、本発明は、追加表示データの生成を表示機器で行う点で異なる。
これにより、発明１５の表示制御システムと同等の効果が得られる。
【００８１】
〔発明４０〕
さらに、発明４０の表示機器は、発明３５ないし３９のいずれか１の表示機器において、
他の表示機器を通信可能に接続し、
前記表示制御手段は、前記補助情報受信手段で受信した補助情報を前記他の表示機器に送信するとともに、前記表示データに含まれる該当の対象情報を表示するようになっていることを特徴とする。
【００８２】
このような構成であれば、表示制御手段により、受信した補助情報が他の表示機器に送信されるとともに、表示データに含まれる該当の対象情報が表示される。発明３３が補助情報の送信先を機器管理装置で決定するのに対して、本発明は、補助情報の送信先を表示機器で決定する点で異なる。
これにより、発明１６の表示制御システムと同等の効果が得られる。
【００８３】
〔発明４１〕
さらに、発明４１の表示機器は、発明４０の表示機器において、
さらに、前記他の表示機器との重なり順序を検出する重複順序検出手段を備え、
前記表示制御手段は、前記重複順序検出手段の検出結果に基づいて前記他の表示機器が最上段であると判定したときは、前記補助情報受信手段で受信した補助情報を前記他の表示機器に送信するとともに、前記表示データに含まれる該当の対象情報を表示し、前記重複順序検出手段の検出結果に基づいて自己が最上段であると判定したときは、前記補助情報受信手段で受信した補助情報を表示するようになっていることを特徴とする。
【００８４】
このような構成であれば、重複順序検出手段により、他の表示機器との重なり順序が検出される。そして、表示制御手段により、その検出結果に基づいて他の表示機器が最上段であると判定されると、受信した補助情報が他の表示機器に送信されるとともに、表示データに含まれる該当の対象情報が表示される。また、検出結果に基づいて自己が最上段であると判定されると、受信した補助情報が表示される。
これにより、発明１７の表示制御システムと同等の効果が得られる。
【００８５】
〔発明４２〕
一方、上記目的を達成するために、発明４２の機器管理プログラムは、
表示機器と通信可能に接続し、前記表示機器を管理する機器管理装置として動作するコンピュータに実行させるための機器管理プログラムであって、
表示データに含まれる対象情報の補助となる補助情報を取得する補助情報取得ステップと、前記補助情報取得ステップで取得した補助情報を前記表示機器に送信する補助情報送信ステップとからなる処理を前記コンピュータに実行させるためのプログラムを含むことを特徴とする。
【００８６】
このような構成であれば、コンピュータによってプログラムが読み取られ、読み取られたプログラムに従ってコンピュータが処理を実行すると、発明１８の機器管理装置と同等の作用および効果が得られる。
ここで、補助情報取得ステップは、補助情報を取得すればどのような形態であってもよく、表示データその他のデータから補助情報を取得してもよいし、記憶装置、機器管理装置その他の装置または記憶媒体から補助情報を取得してもよい。以下、発明６６の表示制御方法において同じである。
【００８７】
〔発明４３〕
さらに、発明４３の機器管理プログラムは、発明４２の機器管理プログラムにおいて、
前記補助情報取得ステップは、前記表示データのなかから前記補助情報を含む表示領域のデータを前記補助情報として取得することを特徴とする。
【００８８】
このような構成であれば、コンピュータによってプログラムが読み取られ、読み取られたプログラムに従ってコンピュータが処理を実行すると、発明１９の機器管理装置と同等の作用および効果が得られる。
【００８９】
〔発明４４〕
さらに、発明４４の機器管理プログラムは、発明４３の機器管理プログラムにおいて、
さらに、前記表示データのうち前記表示機器で表示済みの表示領域を記録する表示領域記録ステップからなる処理を前記コンピュータに実行させるためのプログラムを含み、
前記補助情報取得ステップは、前記表示領域記録ステップの記録結果に基づいて、前記表示データのうち前記表示機器で表示済みの表示領域のなかから、前記補助情報を含む表示領域のデータを前記補助情報として取得することを特徴とする。
【００９０】
このような構成であれば、コンピュータによってプログラムが読み取られ、読み取られたプログラムに従ってコンピュータが処理を実行すると、発明２０の機器管理装置と同等の作用および効果が得られる。
【００９１】
〔発明４５〕
さらに、発明４５の機器管理プログラムは、発明４２ないし４４のいずれか１の機器管理プログラムにおいて、
前記補助情報取得ステップは、前記補助情報を含む補助データのなかから前記補助情報を取得することを特徴とする。
【００９２】
このような構成であれば、コンピュータによってプログラムが読み取られ、読み取られたプログラムに従ってコンピュータが処理を実行すると、発明２１の機器管理装置と同等の作用および効果が得られる。
【００９３】
〔発明４６〕
さらに、発明４６の機器管理プログラムは、発明４２ないし４５のいずれか１の機器管理プログラムにおいて、
前記補助情報取得ステップは、前記表示データのなかで指定されている情報を前記対象情報として取得し、取得した対象情報に対応する補助情報を取得することを特徴とする。
【００９４】
このような構成であれば、コンピュータによってプログラムが読み取られ、読み取られたプログラムに従ってコンピュータが処理を実行すると、発明２２の機器管理装置と同等の作用および効果が得られる。
【００９５】
〔発明４７〕
さらに、発明４７の機器管理プログラムは、発明４２ないし４６のいずれか１の機器管理プログラムにおいて、
前記補助情報取得ステップは、前記表示データのなかから任意の情報を前記対象情報として取得し、取得した対象情報に対応する補助情報を取得することを特徴とする。
【００９６】
このような構成であれば、コンピュータによってプログラムが読み取られ、読み取られたプログラムに従ってコンピュータが処理を実行すると、発明２３の機器管理装置と同等の作用および効果が得られる。
【００９７】
〔発明４８〕
さらに、発明４８の機器管理プログラムは、発明４５ないし４７のいずれか１の機器管理プログラムにおいて、
前記補助データは、辞書データであることを特徴とする。
このような構成であれば、コンピュータによってプログラムが読み取られ、読み取られたプログラムに従ってコンピュータが処理を実行すると、発明２４の機器管理装置と同等の作用および効果が得られる。
【００９８】
〔発明４９〕
さらに、発明４９の機器管理プログラムは、発明４２ないし４８のいずれか１の機器管理プログラムにおいて、
前記コンピュータは、さらに、前記補助情報を蓄積する補助情報蓄積装置と通信可能に接続し、
前記補助情報取得ステップは、前記補助情報蓄積装置から前記補助情報を取得することを特徴とする。
【００９９】
このような構成であれば、コンピュータによってプログラムが読み取られ、読み取られたプログラムに従ってコンピュータが処理を実行すると、発明２５の機器管理装置と同等の作用および効果が得られる。
【０１００】
〔発明５０〕
さらに、発明５０の機器管理プログラムは、発明４２ないし４９のいずれか１の機器管理プログラムにおいて、
前記補助情報は、所定の情報レベルが設定されており、
さらに、前記情報レベルを設定する情報レベル設定ステップからなる処理を前記コンピュータに実行させるためのプログラムを含み、
前記補助情報送信ステップは、前記補助情報取得ステップで取得した補助情報のうち前記情報レベル設定ステップで設定した情報レベル以上のものを前記表示機器に送信することを特徴とする。
【０１０１】
このような構成であれば、コンピュータによってプログラムが読み取られ、読み取られたプログラムに従ってコンピュータが処理を実行すると、発明２６の機器管理装置と同等の作用および効果が得られる。
【０１０２】
〔発明５１〕
さらに、発明５１の機器管理プログラムは、発明４２ないし５０のいずれか１の機器管理プログラムにおいて、
さらに、音声を入力する音声入力ステップからなる処理を前記コンピュータに実行させるためのプログラムを含み、
前記補助情報送信ステップは、前記音声入力ステップから音声を所定時間以上入力しないと判定したときは、前記補助情報を前記表示機器に送信することを特徴とする。
【０１０３】
このような構成であれば、コンピュータによってプログラムが読み取られ、読み取られたプログラムに従ってコンピュータが処理を実行すると、発明２７の機器管理装置と同等の作用および効果が得られる。
【０１０４】
〔発明５２〕
さらに、発明５２の機器管理プログラムは、発明４２ないし５１のいずれか１の機器管理プログラムにおいて、
さらに、画像を入力する画像入力ステップからなる処理を前記コンピュータに実行させるためのプログラムを含み、
前記補助情報送信ステップは、前記画像入力ステップで入力した画像が所定時間変化しないと判定したときは、前記補助情報を前記表示機器に送信することを特徴とする。
【０１０５】
このような構成であれば、コンピュータによってプログラムが読み取られ、読み取られたプログラムに従ってコンピュータが処理を実行すると、発明２８の機器管理装置と同等の作用および効果が得られる。
【０１０６】
〔発明５３〕
さらに、発明５３の機器管理プログラムは、発明４２ないし５２のいずれか１の機器管理プログラムにおいて、
前記補助情報送信ステップは、前記表示機器からの提供要求に応じて前記補助情報を前記表示機器に送信することを特徴とする。
このような構成であれば、コンピュータによってプログラムが読み取られ、読み取られたプログラムに従ってコンピュータが処理を実行すると、発明２９の機器管理装置と同等の作用および効果が得られる。
【０１０７】
〔発明５４〕
さらに、発明５４の機器管理プログラムは、発明４２ないし５３のいずれか１の機器管理プログラムにおいて、
さらに、前記表示機器で前記補助情報を表示した表示履歴を示す表示履歴情報を表示履歴情報記憶手段に登録する表示履歴情報登録ステップからなる処理を前記コンピュータに実行させるためのプログラムを含むことを特徴とする。
【０１０８】
このような構成であれば、コンピュータによってプログラムが読み取られ、読み取られたプログラムに従ってコンピュータが処理を実行すると、発明３０の機器管理装置と同等の作用および効果が得られる。
【０１０９】
〔発明５５〕
さらに、発明５５の機器管理プログラムは、発明５４の機器管理プログラムにおいて、
さらに、前記表示履歴情報記憶手段の表示履歴情報を提供する表示履歴情報提供ステップからなる処理を前記コンピュータに実行させるためのプログラムを含むことを特徴とする。
【０１１０】
このような構成であれば、コンピュータによってプログラムが読み取られ、読み取られたプログラムに従ってコンピュータが処理を実行すると、発明３１の機器管理装置と同等の作用および効果が得られる。
【０１１１】
〔発明５６〕
さらに、発明５６の機器管理プログラムは、発明４２ないし５５のいずれか１の機器管理プログラムにおいて、
さらに、前記補助情報取得ステップで取得した補助情報を、前記表示データのうち該当の対象情報を含む表示領域のデータに追加した追加表示データを生成する追加表示データ生成ステップからなる処理を前記コンピュータに実行させるためのプログラムを含み、
前記補助情報送信ステップは、前記追加表示データ生成ステップで生成した追加表示データを前記表示機器に送信することを特徴とする。
【０１１２】
このような構成であれば、コンピュータによってプログラムが読み取られ、読み取られたプログラムに従ってコンピュータが処理を実行すると、発明３２の機器管理装置と同等の作用および効果が得られる。
【０１１３】
〔発明５７〕
さらに、発明５７の機器管理プログラムは、発明４２ないし５６のいずれか１の機器管理プログラムにおいて、
前記コンピュータは、さらに、複数の前記表示機器と通信可能に接続し、
さらに、複数の前記表示機器をグループ化して管理するグループ管理ステップからなる処理を前記コンピュータに実行させるためのプログラムを含み、
前記補助情報送信ステップは、前記補助情報取得ステップで取得した補助情報を、前記グループ管理ステップで管理されているグループに属する所定の前記表示機器に送信することを特徴とする。
【０１１４】
このような構成であれば、コンピュータによってプログラムが読み取られ、読み取られたプログラムに従ってコンピュータが処理を実行すると、発明３３の機器管理装置と同等の作用および効果が得られる。
【０１１５】
〔発明５８〕
さらに、発明５８の機器管理プログラムは、発明５７の機器管理プログラムにおいて、
前記表示機器は、前記表示機器の重なり順序を検出する重複順序検出手段を有し、
前記補助情報送信ステップは、前記重複順序検出手段の検出結果に基づいて、前記補助情報取得ステップで取得した補助情報を、同一グループに属する表示機器のうち最上段の前記表示機器に送信することを特徴とする。
【０１１６】
このような構成であれば、コンピュータによってプログラムが読み取られ、読み取られたプログラムに従ってコンピュータが処理を実行すると、発明３４の機器管理装置と同等の作用および効果が得られる。
【０１１７】
〔発明５９〕
一方、上記目的を達成するために、発明５９の表示制御プログラムは、
機器管理装置と通信可能に接続し、前記機器管理装置と連携して表示を制御する表示機器として動作するコンピュータに実行させるための表示制御プログラムであって、
表示データに含まれる対象情報の補助となる補助情報を受信する補助情報受信ステップと、前記表示データに基づいて表示制御を行う表示制御ステップとからなる処理を前記コンピュータに実行させるためのプログラムを含み、
前記表示制御ステップは、前記補助情報受信ステップで受信した補助情報を、前記表示データに含まれる該当の対象情報と対応付けて表示することを特徴とする。
【０１１８】
このような構成であれば、コンピュータによってプログラムが読み取られ、読み取られたプログラムに従ってコンピュータが処理を実行すると、発明３５の表示機器と同等の作用および効果が得られる。
【０１１９】
〔発明６０〕
さらに、発明６０の表示制御プログラムは、発明５９の表示制御プログラムにおいて、
前記補助情報は、所定の情報レベルが設定されており、
さらに、前記情報レベルを設定する情報レベル設定ステップからなる処理を前記コンピュータに実行させるためのプログラムを含み、
前記表示制御ステップは、前記補助情報受信ステップで受信した補助情報のうち前記情報レベル設定ステップで設定した情報レベル以上のものを表示することを特徴とする。
【０１２０】
このような構成であれば、コンピュータによってプログラムが読み取られ、読み取られたプログラムに従ってコンピュータが処理を実行すると、発明３６の表示機器と同等の作用および効果が得られる。
【０１２１】
〔発明６１〕
さらに、発明６１の表示制御プログラムは、発明５９および６０のいずれか１の表示制御プログラムにおいて、
前記表示制御ステップは、前記補助情報の表示が要求されたときは、前記機器管理装置に提供要求を送信することを特徴とする。
【０１２２】
このような構成であれば、コンピュータによってプログラムが読み取られ、読み取られたプログラムに従ってコンピュータが処理を実行すると、発明３７の表示機器と同等の作用および効果が得られる。
【０１２３】
〔発明６２〕
さらに、発明６２の表示制御プログラムは、発明５９ないし６１のいずれか１の表示制御プログラムにおいて、
さらに、前記表示データのうち前記対象情報を含む表示領域のデータに前記補助情報を追加した追加表示データを受信する追加表示データ受信ステップからなる処理を前記コンピュータに実行させるためのプログラムを含み、
前記表示制御ステップは、前記追加表示データ受信ステップで受信した追加表示データに基づいて表示制御を行うことを特徴とする。
【０１２４】
このような構成であれば、コンピュータによってプログラムが読み取られ、読み取られたプログラムに従ってコンピュータが処理を実行すると、発明３８の表示機器と同等の作用および効果が得られる。
【０１２５】
〔発明６３〕
さらに、発明６３の表示制御プログラムは、発明５９ないし６１のいずれか１の表示制御プログラムにおいて、
さらに、前記補助情報受信ステップで受信した補助情報を、前記表示データのうち該当の対象情報を含む表示領域のデータに追加した追加表示データを生成する追加表示データ生成ステップからなる処理を前記コンピュータに実行させるためのプログラムを含み、
前記表示制御ステップは、前記追加表示データ生成ステップで生成した追加表示データに基づいて表示制御を行うことを特徴とする。
【０１２６】
このような構成であれば、コンピュータによってプログラムが読み取られ、読み取られたプログラムに従ってコンピュータが処理を実行すると、発明３９の表示機器と同等の作用および効果が得られる。
【０１２７】
〔発明６４〕
さらに、発明６４の表示制御プログラムは、発明５９ないし６３のいずれか１の表示制御プログラムにおいて、
前記コンピュータは、さらに、他の表示機器を通信可能に接続し、
前記表示制御ステップは、前記補助情報受信ステップで受信した補助情報を前記他の表示機器に送信するとともに、前記表示データに含まれる該当の対象情報を表示することを特徴とする。
【０１２８】
このような構成であれば、コンピュータによってプログラムが読み取られ、読み取られたプログラムに従ってコンピュータが処理を実行すると、発明４０の表示機器と同等の作用および効果が得られる。
【０１２９】
〔発明６５〕
さらに、発明６５の表示制御プログラムは、発明６４の表示制御プログラムにおいて、
さらに、前記他の表示機器との重なり順序を検出する重複順序検出ステップからなる処理を前記コンピュータに実行させるためのプログラムを含み、
前記表示制御ステップは、前記重複順序検出ステップの検出結果に基づいて前記他の表示機器が最上段であると判定したときは、前記補助情報受信ステップで受信した補助情報を前記他の表示機器に送信するとともに、前記表示データに含まれる該当の対象情報を表示し、前記重複順序検出ステップの検出結果に基づいて自己が最上段であると判定したときは、前記補助情報受信ステップで受信した補助情報を表示することを特徴とする。
【０１３０】
このような構成であれば、コンピュータによってプログラムが読み取られ、読み取られたプログラムに従ってコンピュータが処理を実行すると、発明４１の表示機器と同等の作用および効果が得られる。
【０１３１】
〔発明６６〕
一方、上記目的を達成するために、発明６６の表示制御方法は、
表示機器の表示を制御する表示制御方法であって、
表示データに含まれる対象情報の補助となる補助情報を取得する補助情報取得ステップと、前記表示データに基づいて前記表示機器の表示制御を行う機器表示制御ステップとを含み、
前記機器表示制御ステップは、前記補助情報取得ステップで取得した補助情報を、前記表示データに含まれる該当の対象情報と対応付けて前記表示機器で表示することを特徴とする。
これにより、発明１の表示制御システムと同等の効果が得られる。
【０１３２】
〔発明６７〕
さらに、発明６７の表示制御方法は、発明６６の表示制御方法において、
前記補助情報取得ステップは、前記表示データのなかから前記補助情報を含む表示領域のデータを前記補助情報として取得することを特徴とする。
これにより、発明２の表示制御システムと同等の効果が得られる。
【０１３３】
〔発明６８〕
さらに、発明６８の表示制御方法は、発明６７の表示制御方法において、
さらに、前記表示データのうち前記表示機器で表示済みの表示領域を記録する表示領域記録ステップを含み、
前記補助情報取得ステップは、前記表示領域記録ステップの記録結果に基づいて、前記表示データのうち前記表示機器で表示済みの表示領域のなかから、前記補助情報を含む表示領域のデータを前記補助情報として取得することを特徴とする。
これにより、発明３の表示制御システムと同等の効果が得られる。
【０１３４】
〔発明６９〕
さらに、発明６９の表示制御方法は、発明６６ないし６８のいずれか１の表示制御方法において、
前記補助情報取得ステップは、前記補助情報を含む補助データのなかから前記補助情報を取得することを特徴とする。
これにより、発明４の表示制御システムと同等の効果が得られる。
【０１３５】
〔発明７０〕
さらに、発明７０の表示制御方法は、発明６６ないし６９のいずれか１の表示制御方法において、
前記補助情報取得ステップは、前記表示データのなかで指定されている情報を前記対象情報として取得し、取得した対象情報に対応する補助情報を取得することを特徴とする。
これにより、発明５の表示制御システムと同等の効果が得られる。
【０１３６】
〔発明７１〕
さらに、発明７１の表示制御方法は、発明６６ないし７０のいずれか１の表示制御方法において、
前記補助情報取得ステップは、前記表示データのなかから任意の情報を前記対象情報として取得し、取得した対象情報に対応する補助情報を取得することを特徴とする。
これにより、発明６の表示制御システムと同等の効果が得られる。
【０１３７】
〔発明７２〕
さらに、発明７２の表示制御方法は、発明６９ないし７１のいずれか１の表示制御方法において、
前記補助データは、辞書データであることを特徴とする。
これにより、発明７の表示制御システムと同等の効果が得られる。
【０１３８】
〔発明７３〕
さらに、発明７３の表示制御方法は、発明６６ないし７２のいずれか１の表示制御方法において、
前記補助情報を蓄積する補助情報蓄積装置を通信可能に接続し、
前記補助情報取得ステップは、前記補助情報蓄積装置から前記補助情報を取得することを特徴とする。
これにより、発明８の表示制御システムと同等の効果が得られる。
【０１３９】
〔発明７４〕
さらに、発明７４の表示制御方法は、発明６６ないし７３のいずれか１の表示制御方法において、
前記補助情報は、所定の情報レベルが設定されており、
さらに、前記情報レベルを設定する情報レベル設定ステップを含み、
前記機器表示制御ステップは、前記補助情報取得ステップで取得した補助情報のうち前記情報レベル設定ステップで設定した情報レベル以上のものを前記表示機器で表示することを特徴とする。
これにより、発明９の表示制御システムと同等の効果が得られる。
【０１４０】
〔発明７５〕
さらに、発明７５の表示制御方法は、発明６６ないし７４のいずれか１の表示制御方法において、
さらに、音声を入力する音声入力ステップを含み、
前記機器表示制御ステップは、前記音声入力ステップから音声を所定時間以上入力しないと判定したときは、前記補助情報を前記表示機器で表示することを特徴とする。
これにより、発明１０の表示制御システムと同等の効果が得られる。
【０１４１】
〔発明７６〕
さらに、発明７６の表示制御方法は、発明６６ないし７５のいずれか１の表示制御方法において、
さらに、画像を入力する画像入力ステップを含み、
前記機器表示制御ステップは、前記画像入力ステップで入力した画像が所定時間変化しないと判定したときは、前記補助情報を前記表示機器で表示することを特徴とする。
これにより、発明１１の表示制御システムと同等の効果が得られる。
【０１４２】
〔発明７７〕
さらに、発明７７の表示制御方法は、発明６６ないし７６のいずれか１の表示制御方法において、
前記機器表示制御ステップは、前記表示機器からの提供要求に応じて前記補助情報を前記表示機器で表示することを特徴とする。
これにより、発明１２の表示制御システムと同等の効果が得られる。
【０１４３】
〔発明７８〕
さらに、発明７８の表示制御方法は、発明６６ないし７７のいずれか１の表示制御方法において、
さらに、前記表示機器で前記補助情報を表示した表示履歴を示す表示履歴情報を表示履歴情報記憶手段に登録する表示履歴情報登録ステップを含むことを特徴とする。
これにより、発明１３の表示制御システムと同等の効果が得られる。
【０１４４】
〔発明７９〕
さらに、発明７９の表示制御方法は、発明７８の表示制御方法において、
さらに、前記表示履歴情報記憶手段の表示履歴情報を提供する表示履歴情報提供ステップを含むことを特徴とする。
これにより、発明１４の表示制御システムと同等の効果が得られる。
【０１４５】
〔発明８０〕
さらに、発明８０の表示制御方法は、発明６６ないし７９のいずれか１の表示制御方法において、
さらに、前記補助情報取得ステップで取得した補助情報を、前記表示データのうち該当の対象情報を含む表示領域のデータに追加した追加表示データを生成する追加表示データ生成ステップを含み、
前記機器表示制御ステップは、前記追加表示データ生成ステップで生成した追加表示データに基づいて表示制御を行うことを特徴とする。
これにより、発明１５の表示制御システムと同等の効果が得られる。
【０１４６】
〔発明８１〕
さらに、発明８１の表示制御方法は、発明６６ないし８０のいずれか１の表示制御方法において、
少なくとも２つの前記表示機器を通信可能に接続し、
前記機器表示制御ステップは、前記補助情報取得ステップで取得した補助情報を一方の前記表示機器で表示するとともに、前記表示データに含まれる該当の対象情報を他方の前記表示機器で表示することを特徴とする。
これにより、発明１６の表示制御システムと同等の効果が得られる。
【０１４７】
〔発明８２〕
さらに、発明８２の表示制御方法は、発明８１の表示制御方法において、
さらに、前記表示機器の重なり順序を検出する重複順序検出ステップを含み、
前記機器表示制御ステップは、前記重複順序検出ステップの検出結果に基づいて、前記補助情報取得ステップで取得した補助情報を最上段の前記表示機器で表示するとともに、前記表示データに含まれる該当の対象情報をそれ以外の前記表示機器で表示することを特徴とする。
これにより、発明１７の表示制御システムと同等の効果が得られる。
【図面の簡単な説明】
【０１４８】
【図１】ネットワークシステムの機能概要を示す機能ブロック図である。
【図２】表示機器１００のハードウェア構成を示すブロック図である。
【図３】内部要求受付処理を示すフローチャートである。
【図４】外部情報受付処理を示すフローチャートである。
【図５】プロジェクタ２００のハードウェア構成を示すブロック図である。
【図６】コンテンツデータのデータ構造を示す図である。
【図７】辞書データ登録テーブル４２０のデータ構造を示す図である。
【図８】表示機器管理テーブル４３０のデータ構造を示す図である。
【図９】辞書サーバ管理テーブル４４０のデータ構造を示す図である。
【図１０】表示履歴登録テーブル４６０のデータ構造を示す図である。
【図１１】ページ操作受付処理を示すフローチャートである。
【図１２】検索要求受付処理を示すフローチャートである。
【図１３】説明情報を追加したページデータに基づいて表示した表示画面の遷移図である。
【図１４】ネットワークシステムの機能概要を示す機能ブロック図である。
【図１５】重複順序検出処理を示すフローチャートである。
【図１６】グループ管理テーブル５００のデータ構造を示す図である。
【図１７】重複情報登録テーブル５２０のデータ構造を示す図である。
【図１８】重複情報登録処理を示すフローチャートである。
【図１９】説明情報提供処理を示すフローチャートである。
【図２０】ページデータに基づいて表示した表示画面の遷移図である。
【図２１】説明情報転送処理を示すフローチャートである。
【図２２】辞書データ登録テーブル５４０のデータ構造を示す図である。
【図２３】外部情報受付処理を示すフローチャートである。
【図２４】ページデータに基づいて表示した表示画面の例を示す図である。
【図２５】辞書データ登録テーブル５４０のデータ構造を示す図である。
【図２６】外部情報受付処理を示すフローチャートである。
【図２７】ページデータに基づいて表示した表示画面の例を示す図である。
【発明を実施するための形態】
【０１４９】
以下、本発明の第１の実施の形態を図面を参照しながら説明する。図１ないし図１３は、本発明に係る表示制御システム、機器管理装置、表示機器、機器管理プログラムおよび表示制御プログラム、並びに表示制御方法の第１の実施の形態を示す図である。
本実施の形態は、本発明に係る表示制御システム、機器管理装置、表示機器、機器管理プログラムおよび表示制御プログラム、並びに表示制御方法を、図１に示すように、複数の表示機器１００を利用してプレゼンテーションを行う場合について適用したものである。
【０１５０】
まず、本発明を適用するネットワークシステムの機能概要を図１を参照しながら説明する。
図１は、ネットワークシステムの機能概要を示す機能ブロック図である。
ネットワーク１９９には、図１に示すように、発表者および聴講者の利用に供するＰＤＡ（Personal Digital Assistant）等からなる複数の表示機器１００と、スクリーンに投影を行うプロジェクタ２００と、辞書データを蓄積する複数の辞書サーバ３００とが接続されている。各表示機器１００およびプロジェクタ２００は、プレゼンテーションを行う会場に設置されている。
【０１５１】
表示機器１００は、プレゼンテーション資料の１ページを構成するページデータを受信するページデータ受信部１０と、ページデータ受信部１０で受信したページデータを記憶するページデータ記憶部１１と、ＬＣＤ（Liquid Crystal Display）等からなる表示部１２と、ページデータ記憶部１１のページデータに基づいて表示部１２の表示制御を行う表示制御部１３と、ページ操作を行うページ操作部１４と、用語の検索要求を入力する用語検索要求入力部１５とを有して構成されている。
【０１５２】
表示制御部１３は、ページ操作部１４でページ操作を入力したときは、ページ操作要求をプロジェクタ２００に送信する。また、用語検索要求入力部１５で検索要求を入力したときは、表示部１２で現在表示しているページのページデータから検索要求に係る対象用語を取得し、取得した対象用語を検索要求とともにプロジェクタ２００に送信する。
プロジェクタ２００は、プレゼンテーション資料であるコンテンツデータを記憶するコンテンツデータ記憶部２０と、用語の解説を含む説明情報を複数登録した辞書データを記憶する辞書データ記憶部２１と、投影レンズを介してスクリーンに投影画像を投影する投影部２２と、説明情報を取得する説明情報取得部２３とを有して構成されている。
【０１５３】
説明情報取得部２３は、検索要求とともに対象用語を受信したときは、コンテンツデータ記憶部２０のコンテンツデータ、または辞書データ記憶部２１の辞書データのなかから、受信した対象用語の解説を含む説明情報を取得する。また、その検索により該当の説明情報が索出できないと判定したときは、検索要求とともに対象用語を辞書サーバ３００に送信し、辞書サーバ３００から説明情報を取得する。
【０１５４】
プロジェクタ２００は、さらに、説明情報取得部２３で取得した説明情報に基づいてページデータを生成するページデータ生成部２４と、ページデータ生成部２４で生成したページデータを表示機器１００に送信するページデータ送信部２５と、発表者の音声を入力するマイク２６と、発表者の画像を入力するカメラ２７とを有して構成されている。
ページデータ生成部２４は、表示機器１００で現在表示しているページのページデータをコンテンツデータ記憶部２０のコンテンツデータのなかから取得し、取得したページデータおよび説明情報取得部２３で取得した説明情報に基づいて、説明情報を追加したページデータを生成する。
【０１５５】
ページデータ送信部２５は、ページ操作要求を受信したときは、受信したページ操作要求によって変更されたページのページデータをコンテンツデータ記憶部２０のコンテンツデータのなかから取得し、取得したページデータを表示機器１００に送信するとともに、ページ操作要求が発表者の表示機器１００からのものであるときは、取得したページデータに基づいて投影部２２で投影画面を投影する。また、マイク２６から音声を所定時間以上入力しないと判定したとき、またはカメラ２７で入力した画像が所定時間変化しないと判定したときは、ページデータ生成部２４で生成したページデータを表示機器１００に送信する。
【０１５６】
プロジェクタ２００は、さらに、表示履歴情報記憶部２８と、表示機器１００で説明情報を表示した表示履歴を示す表示履歴情報を表示履歴情報記憶部２８に登録する表示履歴情報登録部２９と、表示履歴情報記憶部２８の表示履歴情報を表示機器１００に提供する表示履歴情報提供部３０とを有して構成されている。
辞書サーバ３００は、辞書データを記憶する辞書データ記憶部４０と、説明情報を取得する説明情報取得部４１と、説明情報取得部４１で取得した説明情報をプロジェクタ２００に送信する説明情報送信部４２とを有して構成されている。
【０１５７】
説明情報取得部４１は、検索要求とともに対象用語を受信したときは、辞書データ記憶部４０の辞書データのなかから、受信した対象用語の解説を含む説明情報を取得する。
次に、表示機器１００の構成を説明する。
図２は、表示機器１００のハードウェア構成を示すブロック図である。
表示機器１００は、図２に示すように、制御プログラムに基づいて演算およびシステム全体を制御するＣＰＵ５０と、所定領域にあらかじめＣＰＵ５０の制御プログラム等を格納しているＲＯＭ５２と、ＲＯＭ５２等から読み出したデータやＣＰＵ５０の演算過程で必要な演算結果を格納するためのＲＡＭ５４と、外部装置に対してデータの入出力を媒介するＩ／Ｆ５８とで構成されており、これらは、データを転送するための信号線であるバス５９で相互にかつデータ授受可能に接続されている。
【０１５８】
Ｉ／Ｆ５８には、外部装置として、ヒューマンインターフェースとしてデータの入力が可能な操作パネル６０と、データやテーブル等をファイルとして格納する記憶装置６２と、表示部１２と、ネットワーク１９９に接続するための信号線とが接続されている。
ＣＰＵ５０は、マイクロプロセッシングユニット等からなり、ＲＯＭ５２の所定領域に格納されている所定のプログラムを起動させ、そのプログラムに従って、図３および図４のフローチャートに示す内部要求受付処理および外部情報受付処理をそれぞれ時分割で実行するようになっている。
【０１５９】
初めに、内部要求受付処理を図３を参照しながら詳細に説明する。
図３は、内部要求受付処理を示すフローチャートである。
内部要求受付処理は、表示機器１００からの要求を受け付ける処理であって、ＣＰＵ５０において実行されると、図３に示すように、まず、ステップＳ１００に移行するようになっている。
【０１６０】
ステップＳ１００では、ページ数を増加させるページアップ操作が操作パネル６０から要求されたか否かを判定し、ページアップ操作が要求されたと判定したとき(Yes)は、ステップＳ１０１に移行する。
ステップＳ１０１では、自己の表示機器１００に対して一意に割り当てられるデバイスＩＤをＲＯＭ５２等から取得し、ステップＳ１０２に移行して、取得したデバイスＩＤを含むページアップ要求をプロジェクタ２００に送信し、一連の処理を終了して元の処理に復帰させる。
【０１６１】
一方、ステップＳ１００で、ページアップ操作が操作パネル６０から要求されないと判定したとき(No)は、ステップＳ１０４に移行して、ページ数を減少させるページダウン操作が操作パネル６０から要求されたか否かを判定し、ページダウン操作が要求されたと判定したとき(Yes)は、ステップＳ１０５に移行する。
ステップＳ１０５では、自己のデバイスＩＤをＲＯＭ５２等から取得し、ステップＳ１０６に移行して、取得したデバイスＩＤを含むページダウン要求をプロジェクタ２００に送信し、一連の処理を終了して元の処理に復帰させる。
【０１６２】
一方、ステップＳ１０４で、ページダウン操作が操作パネル６０から要求されないと判定したとき(No)は、ステップＳ１０８に移行して、プレゼンテーションの終了が操作パネル６０から要求されたか否かを判定し、プレゼンテーションの終了が要求されたと判定したとき(Yes)は、ステップＳ１１０に移行して、プレゼン終了要求をプロジェクタ２００に送信し、一連の処理を終了して元の処理に復帰させる。
【０１６３】
一方、ステップＳ１０８で、プレゼンテーションの終了が操作パネル６０から要求されないと判定したとき(No)は、ステップＳ１１２に移行して、用語の解説を検索すべきことが操作パネル６０から要求されたか否かを判定し、用語の検索が要求されたと判定したとき(Yes)は、ステップＳ１１４に移行する。
ステップＳ１１４では、表示部１２で現在表示しているページに含まれる用語のなかから検索対象とする対象用語の選択を操作パネル６０から入力し、ステップＳ１１５に移行して、自己のデバイスＩＤをＲＯＭ５２等から取得し、ステップＳ１１６に移行して、取得したデバイスＩＤを含む検索要求をプロジェクタ２００に送信し、ステップＳ１１８に移行して、選択された対象用語をプロジェクタ２００に送信し、一連の処理を終了して元の処理に復帰させる。
【０１６４】
一方、ステップＳ１１２で、用語の解説を検索すべきことが操作パネル６０から要求されないと判定したとき(No)は、ステップＳ１００に移行する。
次に、外部情報受付処理を図４を参照しながら詳細に説明する。
図４は、外部情報受付処理を示すフローチャートである。
外部情報受付処理は、プロジェクタ２００からの情報を受け付ける処理であって、ＣＰＵ５０において実行されると、図４に示すように、まず、ステップＳ１５０に移行するようになっている。
【０１６５】
ステップＳ１５０では、ページデータを受信したか否かを判定し、ページデータを受信したと判定したとき(Yes)は、ステップＳ１５２に移行して、受信したページデータを記憶装置６２に保存し、ステップＳ１５４に移行して、記憶装置６２のページデータに基づいて表示部１２にページを表示し、一連の処理を終了して元の処理に復帰させる。
一方、ステップＳ１５０で、ページデータを受信しないと判定したとき(No)は、ステップＳ１５６に移行して、表示履歴情報を受信したか否かを判定し、表示履歴情報を受信したと判定したとき(Yes)は、ステップＳ１５８に移行して、受信した表示履歴情報を記憶装置６２に保存し、一連の処理を終了して元の処理に復帰させる。
【０１６６】
一方、ステップＳ１５６で、表示履歴情報を受信しないと判定したとき(No)は、ステップＳ１５０に移行する。
次に、プロジェクタ２００の構成を説明する。
図５は、プロジェクタ２００のハードウェア構成を示すブロック図である。
プロジェクタ２００は、図５に示すように、制御プログラムに基づいて演算およびシステム全体を制御するＣＰＵ７０と、所定領域にあらかじめＣＰＵ７０の制御プログラム等を格納しているＲＯＭ７２と、ＲＯＭ７２等から読み出したデータやＣＰＵ７０の演算過程で必要な演算結果を格納するためのＲＡＭ７４と、外部装置に対してデータの入出力を媒介するＩ／Ｆ７８とで構成されており、これらは、データを転送するための信号線であるバス７９で相互にかつデータ授受可能に接続されている。
【０１６７】
Ｉ／Ｆ７８には、外部装置として、ヒューマンインターフェースとしてデータの入力が可能な操作パネル８０と、データやテーブル等をファイルとして格納する記憶装置８２と、投影部２２と、マイク２６と、カメラ２７と、ネットワーク１９９に接続するための信号線とが接続されている。
記憶装置８２は、コンテンツデータ記憶部２０を構成している。
【０１６８】
記憶装置８２には、外部のノートＰＣ等から提供されるコンテンツデータが格納される。
図６は、コンテンツデータのデータ構造を示す図である。
コンテンツデータは、図６に示すように、各ページごとに１つのレコードを有している。各レコードは、ページ数を登録したフィールド４０２と、ページデータを構成するフィールド４０４と、ページデータに含まれる用語のうち作成者によって指定された指定用語を登録したフィールド４０６とを含んで構成されている。
【０１６９】
図６の例では、第１段目のレコードには、ページ数として「１」が、ページデータとして「ＡＢＣとは何か？」が、指定用語として「ＡＢＣ」がそれぞれ登録されている。これは、プレゼンテーション資料の１ページ目のページデータが「ＡＢＣとは何か？」というテキストを含み、そのページに含まれる用語のうち「ＡＢＣ」が作成者によって指定されていることを示している。
【０１７０】
また、記憶装置８２は、辞書データ記憶部２１を構成している。
記憶装置８２には、辞書データを登録した辞書データ登録テーブル４２０が格納されている。
図７は、辞書データ登録テーブル４２０のデータ構造を示す図である。
辞書データ登録テーブル４２０には、図７に示すように、各用語ごとに１つのレコードが登録されている。各レコードは、用語を登録したフィールド４２２と、情報レベルを登録したフィールド４２４と、用語の解説を含む説明情報を登録したフィールド４２６とを含んで構成されている。
【０１７１】
図７の例では、第１段目のレコードには、用語として「ＡＢＣ」が、情報レベルとして「１」が、解説として「Ａ社が提供する〜」がそれぞれ登録されている。これは、用語「ＡＢＣ」の情報レベルが「１」であり、その解説が「Ａ社が提供する〜」であることを示している。なお、情報レベルは、数値が高いほど理解に高い知識を必要とするものとして設定される。
【０１７２】
また、記憶装置８２には、表示機器１００のネットワークアドレスを登録した表示機器管理テーブル４３０が格納されている。
図８は、表示機器管理テーブル４３０のデータ構造を示す図である。
表示機器管理テーブル４３０には、図８に示すように、各表示機器１００ごとに１つのレコードが登録されている。各レコードは、デバイスＩＤを登録したフィールド４３２と、表示機器１００のネットワークアドレスを登録したフィールド４３４とを含んで構成されている。
【０１７３】
図８の例では、第１段目のレコードには、デバイスＩＤとして「001」が、ネットワークアドレスとして「192.168.0.1」がそれぞれ登録されている。これは、デバイスＩＤ「001」により特定される表示機器１００のネットワークアドレスが「192.168.0.1」であることを示している。
また、記憶装置８２には、辞書サーバ３００のネットワークアドレスを登録した辞書サーバ管理テーブル４４０が格納されている。
【０１７４】
図９は、辞書サーバ管理テーブル４４０のデータ構造を示す図である。
辞書サーバ管理テーブル４４０には、図９に示すように、各辞書サーバ３００ごとに１つのレコードが登録されている。各レコードは、辞書サーバ３００に対して一意に割り当てられるサーバＩＤを登録したフィールド４４２と、辞書サーバ３００のネットワークアドレスを登録したフィールド４４４とを含んで構成されている。
【０１７５】
図９の例では、第１段目のレコードには、サーバＩＤとして「001」が、ネットワークアドレスとして「ｈｔｔｐ：／／１９２．１６８．１．１／ｄｉｃ／」がそれぞれ登録されている。これは、サーバＩＤ「001」により特定される辞書サーバ３００のネットワークアドレスが「ｈｔｔｐ：／／１９２．１６８．１．１／ｄｉｃ／」であることを示している。
また、記憶装置８２は、表示履歴情報記憶部２８を構成している。
【０１７６】
記憶装置８２には、表示機器１００で説明情報を表示した表示履歴を登録する表示履歴登録テーブル４６０が格納されている。
図１０は、表示履歴登録テーブル４６０のデータ構造を示す図である。
表示履歴登録テーブル４６０には、図１０に示すように、表示機器１００で検索が要求された各対象用語ごとに１つのレコードが登録される。各レコードは、デバイスＩＤを登録するフィールド４６２と、コンテンツデータのファイル名を登録するフィールド４６４と、ページ数を登録するフィールド４６６と、対象用語を登録するフィールド４６８と、対象用語の解説を含む説明情報を登録するフィールド４７０とを含んで構成されている。
【０１７７】
図１０の例では、第１段目のレコードには、デバイスＩＤとして「001」が、ファイル名として「プレゼンＡ」が、ページ数として「１」が、対象用語として「ＡＢＣ」が、解説として「Ａ社が提供する〜」がそれぞれ登録されている。これは、デバイスＩＤ「001」により特定される表示機器１００によって用語「ＡＢＣ」の解説が参照されたことを示している。また、その用語「ＡＢＣ」は、ファイル名「プレゼンＡ」のコンテンツデータにおいて１ページ目に含まれていることを示している。
【０１７８】
図５に戻り、ＣＰＵ７０は、マイクロプロセッシングユニット等からなり、ＲＯＭ７２の所定領域に格納されている所定のプログラムを起動させ、そのプログラムに従って、図１１および図１２のフローチャートに示すページ操作受付処理および検索要求受付処理をそれぞれ時分割で実行するようになっている。
初めに、ページ操作受付処理を図１１を参照しながら詳細に説明する。
【０１７９】
図１１は、ページ操作受付処理を示すフローチャートである。
ページ操作受付処理は、表示機器１００からのページ操作要求を受け付ける処理であって、ＣＰＵ７０において実行されると、図１１に示すように、まず、ステップＳ２００に移行するようになっている。
ステップＳ２００では、外部のノートＰＣ等から提供されるコンテンツデータを受信し、ステップＳ２０２に移行して、受信したコンテンツデータを記憶装置８２に保存し、ステップＳ２０４に移行する。
【０１８０】
ステップＳ２０４では、各表示機器１００ごとに確保された表示ページ変数にすべて「１」を設定し、ステップＳ２０６に移行して、各表示機器１００ごとに確保された現表示ページ変数および表示済みページ変数にすべて「０」を設定する。表示ページ変数は、表示機器１００で現在表示すべきページ数を保持するものである。また、現表示ページ変数は、表示機器１００で現在表示しているページ数を保持するものである。また、表示済みページ変数は、既に表示したことのあるページ数（すなわち、最終ページ数）を保持するものである。これらページ変数は、デバイスＩＤによって各表示機器１００と対応付けられている。
【０１８１】
次いで、ステップＳ２０８に移行して、各表示機器１００ごとに、その表示機器１００に対応する表示ページ変数および現表示ページ変数の値が異なるか否かを判定し、変数の値が異なると判定したとき(Yes)は、ステップＳ２１０に移行して、記憶装置８２のコンテンツデータのなかから、表示ページ変数の値が示すページ数のページデータを取得し、ステップＳ２１２に移行する。
【０１８２】
ステップＳ２１２では、表示機器管理テーブル４３０を参照して、取得したページデータを該当の表示機器１００に送信し、ステップＳ２１４に移行して、該当の表示機器１００が発表者所有のものであるときは、取得したページデータに基づいて投影部２２で投影画面を投影し、ステップＳ２１５に移行して、現表示ページ変数に表示ページ変数の値を設定し、ステップＳ２１６に移行する。
【０１８３】
ステップＳ２１６では、各表示機器１００ごとに、その表示機器１００に対応する表示ページ変数の値が表示済みページ変数の値よりも大きいか否かを判定し、表示済みページ変数の値よりも大きいと判定したとき(Yes)は、ステップＳ２１７に移行して、表示済みページ変数に表示ページ変数の値を設定し、ステップＳ２１８に移行する。
ステップＳ２１８では、ページアップ要求を受信したか否かを判定し、ページアップ要求を受信したと判定したとき(Yes)は、ステップＳ２２０に移行して、受信したページアップ要求からデバイスＩＤを取得し、取得したデバイスＩＤに対応する表示ページ変数の値を「１」加算し、ステップＳ２２２に移行する。
【０１８４】
ステップＳ２２２では、ページダウン要求を受信したか否かを判定し、ページダウン要求を受信したと判定したとき(Yes)は、ステップＳ２２４に移行して、受信したページダウン要求からデバイスＩＤを取得し、取得したデバイスＩＤに対応する表示ページ変数の値を「１」減算し、ステップＳ２２６に移行する。
ステップＳ２２６では、プレゼン終了要求を受信したか否かを判定し、プレゼン終了要求を受信したと判定したとき(Yes)は、ステップＳ２２８に移行して、表示履歴登録テーブル４６０からすべての表示履歴情報を読み出し、ステップＳ２３０に移行して、表示機器管理テーブル４３０を参照して、読み出した表示履歴情報を発表者所有の表示機器１００に送信し、ステップＳ２３２に移行する。
【０１８５】
ステップＳ２３２では、コンテンツデータを記憶装置８２から削除し、ステップＳ２３４に移行して、表示履歴登録テーブル４６０からすべてのレコードを削除し、一連の処理を終了して元の処理に復帰させる。
一方、ステップＳ２２６で、プレゼン要求を受信しないと判定したとき(No)は、ステップＳ２０８に移行する。
【０１８６】
一方、ステップＳ２２２で、ページダウン要求を受信しないと判定したとき(No)は、ステップＳ２２６に移行する。
一方、ステップＳ２１８で、ページアップ要求を受信しないと判定したとき(No)は、ステップＳ２２２に移行する。
一方、ステップＳ２１６で、表示ページ変数の値が表示済みページ変数の値以下であると判定したとき(No)は、ステップＳ２１８に移行する。
【０１８７】
一方、ステップＳ２０８で、表示ページ変数および現表示ページ変数の値が同一であると判定したとき(No)は、ステップＳ２１８に移行する。
次に、検索要求受付処理を図１２を参照しながら詳細に説明する。
図１２は、検索要求受付処理を示すフローチャートである。
検索要求受付処理は、表示機器１００からの検索要求を受け付ける処理であって、ＣＰＵ７０において実行されると、図１２に示すように、まず、ステップＳ２５０に移行するようになっている。
【０１８８】
ステップＳ２５０では、検索要求を受信したか否かを判定し、検索要求を受信したと判定したとき(Yes)は、ステップＳ２５２に移行するが、そうでないと判定したとき(No)は、検索要求を受信するまでステップＳ２５０で待機する。
ステップＳ２５２では、対象用語を受信し、ステップＳ２５４に移行して、受信した対象用語の解説を含む説明情報が記憶装置８２のコンテンツデータに含まれているか否かを判定し、対象用語の解説を含む説明情報がコンテンツデータに含まれていると判定したとき(Yes)は、ステップＳ２５６に移行する。
【０１８９】
ステップＳ２５６では、受信した対象用語の解説を含む説明情報を記憶装置８２のコンテンツデータのなかから取得する。このとき、表示済みページ変数の値に基づいて、コンテンツデータのうち発表者所有の表示機器１００で表示済みのページのなかから説明情報を取得する。
次いで、ステップＳ２５８に移行して、受信した検索要求からデバイスＩＤを取得し、取得したデバイスＩＤに対応する表示機器１００で現在表示しているページのページデータ（デバイスＩＤに対応する表示ページ変数の値が示すページ数のページデータをいう。以下、同じ。）を記憶装置８２のコンテンツデータのなかから取得し、ステップＳ２６０に移行して、取得した説明情報およびページデータに基づいて、説明情報を追加したページデータを生成し、ステップＳ２６２に移行する。
【０１９０】
ステップＳ２６２では、取得したデバイスＩＤ、コンテンツデータのファイル名、説明情報をコンテンツデータから取得した場合は該当のページ数、受信した対象用語、および取得した説明情報を対応付けて表示履歴登録テーブル４６０に登録し、ステップＳ２６４に移行する。
ステップＳ２６４では、マイク２６から音声を所定時間（例えば、１０秒）以上入力していないか否かを判定し、マイク２６から音声を所定時間以上入力していないと判定したとき(Yes)は、ステップＳ２６６に移行して、表示機器管理テーブル４３０を参照して、ステップＳ２６０で生成したページデータを、取得したデバイスＩＤにより特定される表示機器１００に送信し、一連の処理を終了して元の処理に復帰させる。
【０１９１】
一方、ステップＳ２６４で、マイク２６から音声入力がない期間が所定時間未満であると判定したとき(No)は、ステップＳ２６８に移行して、カメラ２７で入力した画像が所定時間変化しないか否かを判定し、カメラ２７で入力した画像が所定時間変化しないと判定したとき(Yes)は、ステップＳ２６６に移行する。
一方、ステップＳ２６８で、カメラ２７で入力した画像が変化しない期間が所定時間未満であると判定したとき(No)は、ステップＳ２６４に移行する。
【０１９２】
一方、ステップＳ２５４で、受信した対象用語の解説を含む説明情報が記憶装置８２のコンテンツデータに含まれていないと判定したとき(No)は、ステップＳ２７０に移行する。
ステップＳ２７０では、受信した対象用語に対応するレコードが辞書データ登録テーブル４２０に含まれているか否かを判定し、対象用語に対応するレコードが辞書データ登録テーブル４２０に含まれていると判定したとき(Yes)は、ステップＳ２７２に移行して、受信した対象用語の解説を含む説明情報を辞書データ登録テーブル４２０から取得し、ステップＳ２５８に移行する。
【０１９３】
一方、ステップＳ２７０で、受信した対象用語に対応するレコードが辞書データ登録テーブル４２０に含まれていないと判定したとき(No)は、ステップＳ２７４に移行して、辞書サーバ管理テーブル４４０を参照してすべての辞書サーバ３００に検索要求を送信し、ステップＳ２７５に移行して、辞書サーバ管理テーブル４４０を参照してすべての辞書サーバ３００に対象用語を送信し、ステップＳ２７６に移行する。
【０１９４】
ステップＳ２７６では、説明情報を受信したか否かを判定し、説明情報を受信したと判定したとき(Yes)は、ステップＳ２５８に移行する。
一方、ステップＳ２７６で、説明情報を受信しないと判定したとき(No)は、ステップＳ２７８に移行して、説明情報が取得できなかった旨の説明情報を生成し、ステップＳ２５８に移行する。
【０１９５】
次に、本実施の形態の動作を説明する。
まず、発表者は、プレゼンテーションを開始したい場合は、外部のノートＰＣ等において、プレゼンテーション資料となるコンテンツデータをプロジェクタ２００に送信する。
プロジェクタ２００では、コンテンツデータを受信すると、ステップＳ２０２〜Ｓ２０６を経て、受信したコンテンツデータが記憶装置８２に保存され、すべての表示ページ変数に「１」が、すべての現表示ページ変数および表示済みページ変数に「０」がそれぞれ設定される。この初期設定より、すべての表示機器１００について表示ページ変数および現表示ページ変数の値が異なるので、ステップＳ２１０，Ｓ２１２を経て、コンテンツデータのなかから１ページ目のページデータが取得され、取得されたページデータが各表示機器１００に送信される。
【０１９６】
表示機器１００では、ページデータを受信すると、ステップＳ１５２，Ｓ１５４を経て、受信したページデータが記憶装置６２に保存され、記憶装置６２のページデータに基づいて１ページ目の表示画面が表示される。
プロジェクタ２００では、ステップＳ２１４を経て、取得されたページデータに基づいて１ページ目の投影画面が投影される。
【０１９７】
次に、発表者は、プレゼンテーションの説明に必要なページを閲覧したい場合は、自己の表示機器１００において、操作パネル６０によりページアップ操作またはページダウン操作を行う。
表示機器１００では、ページアップ操作が行われると、ステップＳ１０１，Ｓ１０２を経て、自己のデバイスＩＤが取得され、取得されたデバイスＩＤを含むページアップ要求がプロジェクタ２００に送信される。
【０１９８】
プロジェクタ２００では、ページアップ要求を受信すると、ステップＳ２２０を経て、受信したページアップ要求からデバイスＩＤが取得され、取得されたデバイスＩＤに対応する表示ページ変数の値が「１」加算される。その結果、その表示機器１００について表示ページ変数および現表示ページ変数の値が異なるので、ステップＳ２１０，Ｓ２１２を経て、コンテンツデータのなかから次ページのページデータが取得され、取得されたページデータが各表示機器１００に送信される。
【０１９９】
表示機器１００では、ページデータを受信すると、ステップＳ１５２，Ｓ１５４を経て、受信したページデータが記憶装置６２に保存され、記憶装置６２のページデータに基づいて次ページの表示画面が表示される。
プロジェクタ２００では、ページアップ要求が発表者所有の表示機器１００からのものなので、ステップＳ２１４を経て、取得されたページデータに基づいて次ページの投影画面が投影される。
【０２００】
なお、ページダウン操作を行う場合は、前ページのページデータが取得され、取得されたページデータに基づいて前ページの表示画面が表示される点が異なるほかは、ページアップ操作と同様に行われる。
次に、聴講者は、現在参照しているページにおいて知らない用語が存在する場合は、自己の表示機器１００において、操作パネル６０により用語の解説を検索すべきことを要求し、現在表示しているページに含まれる用語のなかから検索対象とする対象用語を選択する。
【０２０１】
表示機器１００では、検索が要求され、対象用語が選択されると、ステップＳ１１５〜Ｓ１１８を経て、自己のデバイスＩＤが取得され、取得されたデバイスＩＤを含む検索要求とともに、聴講者により選択された対象用語がプロジェクタ２００に送信される。
プロジェクタ２００では、検索要求とともに対象用語を受信すると、ステップＳ２５４を経て、受信した対象用語の解説を含む説明情報がコンテンツデータに含まれているか否かが判定される。該当の説明情報がコンテンツデータに含まれている場合は、ステップＳ２５６を経て、受信した対象用語の解説を含む説明情報がコンテンツデータのなかから取得される。
【０２０２】
一方、該当の説明情報がコンテンツデータに含まれていない場合は、ステップＳ２７０を経て、受信した対象用語に対応するレコードが辞書データ登録テーブル４２０に含まれているか否かが判定される。該当のレコードが辞書データ登録テーブル４２０に含まれている場合は、ステップＳ２７２を経て、受信した対象用語の解説を含む説明情報が辞書データ登録テーブル４２０から取得される。
【０２０３】
一方、該当のレコードが辞書データ登録テーブル４２０に含まれていない場合は、ステップＳ２７４，Ｓ２７５を経て、検索要求とともに対象用語がすべての辞書サーバ３００に送信される。
辞書サーバ３００では、検索要求とともに対象用語を受信すると、説明情報取得部４１により、受信した対象用語の解説を含む説明情報が辞書データのなかから取得され、説明情報送信部４２により、取得された説明情報がプロジェクタ２００に送信される。したがって、プロジェクタ２００では、いずれかの辞書サーバ３００の辞書データに該当の説明情報が存在すれば、その辞書サーバ３００から説明情報が取得される。
【０２０４】
プロジェクタ２００では、説明情報が取得されると、ステップＳ２５８，Ｓ２６０を経て、受信した検索要求からデバイスＩＤが取得され、取得されたデバイスＩＤに対応する表示機器１００で現在表示しているページのページデータがコンテンツデータのなかから取得され、取得された説明情報およびページデータに基づいて、説明情報を追加したページデータが生成される。また、ステップＳ２６２を経て、取得された説明情報についての表示履歴情報が表示履歴登録テーブル４６０に登録される。生成されたページデータは、マイク２６から音声を所定時間以上入力しないと判定されるか、カメラ２７で入力した画像が所定時間変化しないと判定されると、ステップＳ２６６を経て、取得されたデバイスＩＤにより特定される表示機器１００に送信される。
【０２０５】
表示機器１００では、ページデータを受信すると、ステップＳ１５２，Ｓ１５４を経て、受信したページデータが記憶装置６２に保存され、記憶装置６２のページデータに基づいて、説明情報を追加した表示画面が表示される。
図１３は、説明情報を追加したページデータに基づいて表示した表示画面の遷移図である。
【０２０６】
第１の表示パターンとしては、図１３（ｂ），（ｃ）のような表示パターンが考えられる。
表示機器１００では、いま、図１３（ａ）に示すように、用語「ＡＢＣ」を含むプレゼンページが表示部１２の表示領域いっぱいに表示されているとする。ここで、聴講者は、用語「ＡＢＣ」について検索を要求すると、まず、図１３（ｂ）に示すように、表示部１２の表示領域が横方向に２分割され、左半分の表示領域にプレゼンページが、右半分の表示領域に説明情報がそれぞれ表示される。この状態において操作パネル６０により表示の切り換えを要求すると、図１３（ｃ）に示すように、表示部１２の表示領域が縦方向に２分割され、上半分の表示領域にプレゼンページが、下半分の表示領域に説明情報がそれぞれ表示される。図１３（ｂ），（ｃ）の表示パターンは、操作パネル６０により交互に切り換えることができる。
【０２０７】
第２の表示パターンとしては、図１３（ｄ）〜（ｆ）のような表示パターンが考えられる。
表示機器１００では、いま、図１３（ａ）に示すように、用語「ＡＢＣ」を含むプレゼンページが表示部１２の表示領域いっぱいに表示されているとする。ここで、聴講者は、用語「ＡＢＣ」について検索を要求すると、まず、図１３（ｄ）に示すように、説明情報を含むポップアップ画面が用語「ＡＢＣ」の付近に表示される。この状態において操作パネル６０により表示の切り換えを要求すると、図１３（ｅ）に示すように、表示部１２の表示領域が横方向に２分割され、左半分の表示領域にプレゼンページが、右半分の表示領域にポップアップ画面を含むプレゼンページがそれぞれ表示される。さらに、この状態において操作パネル６０により表示の切り換えを要求すると、図１３（ｆ）に示すように、表示部１２の表示領域が縦方向に２分割され、上半分の表示領域にプレゼンページが、下半分の表示領域にポップアップ画面を含むプレゼンページがそれぞれ表示される。図１３（ｄ）〜（ｆ）の表示パターンは、操作パネル６０により循環的に切り換えることができる。
【０２０８】
最後に、発表者は、プレゼンテーションを終了したい場合は、自己の表示機器１００において、操作パネル６０によりプレゼンテーションの終了を要求する。
表示機器１００では、プレゼンテーションの終了が要求されると、ステップＳ２２８，Ｓ２３０を経て、表示履歴登録テーブル４６０からすべての表示履歴情報が読み出され、読み出された表示履歴情報が発表者所有の表示機器１００に送信される。そして、ステップＳ２３２，Ｓ２３４を経て、コンテンツデータおよび表示履歴登録テーブル４６０のすべてのレコードが削除される。
【０２０９】
このようにして、本実施の形態では、プロジェクタ２００は、コンテンツデータに含まれる対象用語の説明情報を取得し、取得した説明情報を追加したページデータを生成し、生成したページデータを表示機器１００に送信するようになっており、表示機器１００は、受信したページデータに基づいて、対象用語および説明情報を対応付けて表示するようになっている。
【０２１０】
これにより、対象用語と対応付けられてその説明情報が表示されるので、聴講者は、必要とする情報を得ることができ、また、説明情報を参照してもページ操作の作業が発生することもない。したがって、従来に比して、プレゼンテーションの理解を促すことができる。また、コンテンツデータのうち対象用語を含むページの内容やレイアウトをさほど変更することなく説明情報を参照することができる。
【０２１１】
さらに、本実施の形態では、プロジェクタ２００は、コンテンツデータのなかから説明情報を取得するようになっている。
これにより、対象用語に対応する説明情報がコンテンツデータに含まれていれば、その説明情報を参照することができるので、発表者が意図した内容の説明情報を得ることができる。
【０２１２】
さらに、本実施の形態では、プロジェクタ２００は、発表者所有の表示機器１００で表示済みのページを記録し、その記録結果に基づいて、コンテンツデータのうち表示機器１００で表示済みのページのなかから説明情報を取得するようになっている。
これにより、表示機器１００で表示済みのページに限って説明情報が検索されるので、演出上効果的な内容等を発表に先行して聴講者に閲覧されるのを防止することができ、効果的なプレゼンテーションを行うことができる。
【０２１３】
さらに、本実施の形態では、プロジェクタ２００は、コンテンツデータに説明情報が含まれていないと判定したときは、辞書データ登録テーブル４２０から説明情報を取得するようになっている。
これにより、対象用語に対応する説明情報がコンテンツデータに含まれていなくても辞書データ登録テーブル４２０に存在すれば、説明情報を参照することができるので、説明情報が得られずプレゼンテーションの理解が損なわれる可能性を低減することができる。また、辞書データ登録テーブル４２０を作成しなくても、他のプレゼンテーション等で利用した辞書データ登録テーブル４２０を利用することができるので、辞書データの準備に要する時間や手間を低減することができる。
【０２１４】
さらに、本実施の形態では、プロジェクタ２００は、辞書データ登録テーブル４２０に説明情報が含まれていないと判定したときは、いずれかの辞書サーバ３００から説明情報を取得するようになっている。
これにより、対象用語に対応する説明情報がコンテンツデータおよび辞書データ登録テーブル４２０に含まれていなくても辞書サーバ３００に存在すれば、説明情報を参照することができるので、説明情報が得られずプレゼンテーションの理解が損なわれる可能性を低減することができる。
【０２１５】
さらに、本実施の形態では、プロジェクタ２００は、マイク２６から音声を所定時間以上入力しないと判定したときは、説明情報を追加したページデータを表示機器１００に送信するようになっている。
これにより、発表者が話をしていないと思われるタイミングで説明情報が表示されるので、聴講者は、発表者の説明に集中する必要のない時間を利用して説明情報を参照することができる。したがって、プレゼンテーションの理解をさらに促すことができる。
【０２１６】
さらに、本実施の形態では、プロジェクタ２００は、カメラ２７で入力した画像が所定時間変化しないと判定したときは、説明情報を追加したページデータを表示機器１００に送信するようになっている。
これにより、発表者が動作をしていないと思われるタイミングで説明情報が表示されるので、聴講者は、発表者の説明に集中する必要のない時間を利用して説明情報を参照することができる。したがって、プレゼンテーションの理解をさらに促すことができる。
【０２１７】
さらに、本実施の形態では、プロジェクタ２００は、表示機器１００からの検索要求に応じて説明情報を表示機器１００に送信するようになっている。
これにより、聴講者が必要とするタイミングで説明情報が表示されるので、聴講者の希望に沿った情報提供を実現することができる。したがって、プレゼンテーションの理解をさらに促すことができる。
【０２１８】
さらに、本実施の形態では、プロジェクタ２００は、表示機器１００で説明情報を表示した表示履歴を示す表示履歴情報を記憶装置８２に登録するようになっている。
これにより、表示履歴情報を参照すれば、どのような説明情報が参照されたかを把握することができるので、発表者は、これをもとに発表内容について検討を行うことができる。
【０２１９】
さらに、本実施の形態では、プロジェクタ２００は、記憶装置８２の表示履歴情報を発表者所有の表示機器１００に提供するようになっている。
これにより、発表者は、表示履歴情報の提供を受けることができるので、表示履歴情報の入手が容易となる。
上記第１の実施の形態において、プロジェクタ２００は、発明１８ないし２１、２４、２５、２７ないし３２、３５、３７、４２、５９または６１の機器管理装置に対応し、辞書サーバ３００は、発明８、２５、４９または７３の補助情報蓄積装置に対応し、辞書データ記憶部２１および記憶装置８２は、発明４または２１の補助データ記憶手段に対応している。また、表示履歴情報記憶部２８および記憶装置８２は、発明１３、１４、３０、３１、５４、５５、７８または７９の表示履歴情報記憶手段に対応し、ページデータ受信部１０、Ｉ／Ｆ５８およびステップＳ１５０は、発明３５の補助情報受信手段に対応している。
【０２２０】
また、上記第１の実施の形態において、ステップＳ１５０は、発明５９の補助情報受信ステップに対応し、表示制御部１３およびステップＳ１５４は、発明３５、３７または３８の表示制御手段に対応し、ステップＳ１５４は、発明５９、６１または６２の表示制御ステップに対応している。また、ステップＳ２１７は、発明３若しくは２０の表示領域記録手段、または発明４４若しくは６８の表示領域記録ステップに対応し、説明情報取得部２３、Ｉ／Ｆ７８およびステップＳ２５２〜Ｓ２５６，Ｓ２７０〜Ｓ２７８は、発明１ないし４、８、１５、１８ないし２１、２５または３２の補助情報取得手段に対応している。
【０２２１】
また、上記第１の実施の形態において、ステップＳ２５２〜Ｓ２５６，Ｓ２７０〜Ｓ２７８は、発明４２ないし４５、４９、５６、６６ないし６９、７３または８０の補助情報取得ステップに対応し、ページデータ生成部２４およびステップＳ２５８，Ｓ２６０は、発明１５または３２の追加表示データ生成手段に対応している。また、ステップＳ２５８，Ｓ２６０は、発明５６または８０の追加表示データ生成ステップに対応し、ページデータ送信部２５、Ｉ／Ｆ７８およびステップＳ２５０，Ｓ２６４〜Ｓ２６８は、発明１８、２７ないし２９または３２の補助情報送信手段に対応している。
【０２２２】
また、上記第１の実施の形態において、ステップＳ２５０，Ｓ２６４〜Ｓ２６８は、発明４２、５１ないし５３または５６の補助情報送信ステップに対応し、マイク２６は、発明１０または２７の音声入力手段に対応し、カメラ２７は、発明１１または２８の画像入力手段に対応している。また、表示履歴情報登録部２９およびステップＳ２６２は、発明１３または３０の表示履歴情報登録手段に対応し、ステップＳ２６２は、発明５４または７８の表示履歴情報登録ステップに対応し、表示履歴情報提供部３０、Ｉ／Ｆ７８およびステップＳ２２８，Ｓ２３０は、発明１４または３１の表示履歴情報提供手段に対応している。
【０２２３】
また、上記第１の実施の形態において、ステップＳ２２８，Ｓ２３０は、発明５５または７９の表示履歴情報提供ステップに対応し、ページデータ受信部１０、表示制御部１３、ページデータ送信部２５、Ｉ／Ｆ５８、Ｉ／Ｆ７８およびステップＳ１５０，Ｓ１５４，Ｓ２５０，Ｓ２６４〜Ｓ２６８は、発明１、１０ないし１２または１５の機器表示制御手段に対応している。また、ステップＳ１５０，Ｓ１５４，Ｓ２５０，Ｓ２６４〜Ｓ２６８は、発明６６、７５ないし７７または８０の機器表示制御ステップに対応し、コンテンツデータは、発明１ないし３、１５、１８ないし２０、３２、３５、３８、４２ないし４４、５６、５９、６２、６６ないし６８または８０の表示データに対応している。
【０２２４】
また、上記第１の実施の形態において、辞書データは、発明４、７、２１、２４、４５、４８、６９または７２の補助データに対応し、対象用語は、発明１、１５、１８、３２、３５、３８、４２、５６、５９、６２、６６または８０の対象情報に対応し、説明情報は、発明１ないし４、８、１０ないし１３、１５、１８ないし２１、２５、２７ないし３０、３２、３５、３７、３８、４２ないし４５、４９、５１ないし５４、５６、５９、６１、６２、６６ないし６９、７３、７５ないし７８または８０の補助情報に対応している。
【０２２５】
次に、本発明の第２の実施の形態を図面を参照しながら説明する。図１４ないし図２０は、本発明に係る表示制御システム、機器管理装置、表示機器、機器管理プログラムおよび表示制御プログラム、並びに表示制御方法の第２の実施の形態を示す図である。
本実施の形態は、本発明に係る表示制御システム、機器管理装置、表示機器、機器管理プログラムおよび表示制御プログラム、並びに表示制御方法を、図１４に示すように、複数の表示機器１００を利用してプレゼンテーションを行う場合について適用したものであり、上記第１の実施の形態と異なるのは、発表者または聴講者が１人につき複数の表示機器１００を利用してプレゼンテーションを行う点にある。なお、以下、上記第１の実施の形態と異なる部分についてのみ説明し、上記第１の実施の形態と重複する部分については同一の符号を付して説明を省略する。
【０２２６】
まず、本発明を適用するネットワークシステムの機能概要を図１４を参照しながら説明する。
図１４は、ネットワークシステムの機能概要を示す機能ブロック図である。
ネットワーク１９９には、図１４に示すように、複数の表示機器１００、プロジェクタ２００および辞書サーバ３００が接続されている。
【０２２７】
表示機器１００は、ページデータ受信部１０、ページデータ記憶部１１、表示部１２、表示制御部１３およびページ操作部１４のほか、自己のデバイスＩＤを記録したＲＦＩＤ（Radio Frequency IDentification）非接触型ＩＣタグ１６と、自己の上方に近接する表示機器１００のＲＦＩＤ非接触型ＩＣタグ１６からデバイスＩＤを読み取るタグリーダ１７とを有して構成されている。
【０２２８】
表示制御部１３は、タグリーダ１７で読み取ったデバイスＩＤを含む重複情報をプロジェクタ２００に送信する。
プロジェクタ２００は、コンテンツデータ記憶部２０、辞書データ記憶部２１、投影部２２および説明情報取得部２３のほか、複数の表示機器１００をグループ化して管理するグループ管理部３１と、重複情報を記憶する重複情報記憶部３２と、説明情報取得部２３で取得した説明情報をページデータとして表示機器１００に送信するページデータ送信部３３とを有して構成されている。
【０２２９】
ページデータ送信部３３は、重複情報を受信したときは、受信した重複情報を重複情報記憶部３２に登録する。また、グループ管理部３１で管理されている各グループごとに、重複情報記憶部３２の重複情報に基づいて、説明情報取得部２３で取得した説明情報を、そのグループに属する表示機器１００のうち最上段のものにページデータとして送信する。
【０２３０】
次に、表示機器１００の構成を説明する。
ＣＰＵ５０は、ＲＯＭ５２の所定領域に格納されている所定のプログラムを起動させ、そのプログラムに従って、図１５のフローチャートに示す重複順序検出処理を他の処理と並列に時分割で実行するようになっている。
図１５は、重複順序検出処理を示すフローチャートである。
【０２３１】
重複順序検出処理は、表示機器１００の重なり順序を検出する処理であって、ＣＰＵ５０において実行されると、図１５に示すように、まず、ステップＳ３００に移行するようになっている。
ステップＳ３００では、前回の実行時から所定時間（例えば、１秒）が経過しているか否かを判定し、所定時間が経過していると判定したとき(Yes)は、ステップＳ３０２に移行するが、そうでないと判定したとき(No)は、所定時間が経過するまでステップＳ３００で待機する。
【０２３２】
ステップＳ３０２では、タグリーダ１７により上方の表示機器１００のデバイスＩＤを検出し、ステップＳ３０４に移行して、自己のデバイスＩＤをＲＯＭ５２等から取得し、ステップＳ３０６に移行する。
ステップＳ３０６では、取得したデバイスＩＤを含む重複検出通知をプロジェクタ２００に送信し、ステップＳ３０８に移行して、検出したデバイスＩＤを含む重複情報をプロジェクタ２００に送信し、一連の処理を終了して元の処理に復帰させる。
【０２３３】
次に、プロジェクタ２００の構成を説明する。
記憶装置８２には、表示機器１００のグループ情報を管理するグループ管理テーブル５００が格納されている。
図１６は、グループ管理テーブル５００のデータ構造を示す図である。
グループ管理テーブル５００には、図１６に示すように、各グループごとに１つのレコードが登録されている。各レコードは、グループを代表する表示機器１００のデバイスＩＤを登録したフィールド５０２と、グループに属する代表以外の表示機器１００のデバイスＩＤを登録したフィールド５０４と、プレゼンテーション資料のページを表示させる表示機器１００（以下、メイン表示用の表示機器１００という。）のデバイスＩＤを登録したフィールド５０６と、説明情報を表示させる表示機器１００（以下、説明情報表示用の表示機器１００という。）のデバイスＩＤを登録したフィールド５０８と、発表者または聴講者の知識レベルに応じた情報レベルを登録したフィールド５１０とを含んで構成されている。なお、フィールド５１０の情報レベルは、例えば、操作パネル８０を操作することにより設定することができる。
【０２３４】
図１６の例では、第２段目のレコードには、メインのデバイスＩＤとして「002」が、サブのデバイスＩＤとして「004、005」がそれぞれ登録されている。これは、第１番目のグループが、表示機器(002)（デバイスＩＤ「002」により特定される表示機器１００を示す。以下、同様に略記する。）、表示機器(004)および表示機器(005)から構成されており、表示機器(002)が代表でそれ以外のものがサブであることを示している。
【０２３５】
さらに、第２段目のレコードには、メイン表示用のデバイスＩＤとして「002」が、説明情報表示用のデバイスＩＤとして「004」がそれぞれ登録されている。これは、表示機器(002)でプレゼンテーション資料のページを表示し、表示機器(004)で説明情報を表示することを示している。
また、記憶装置８２には、重複情報を登録した重複情報登録テーブル５２０が格納されている。
【０２３６】
図１７は、重複情報登録テーブル５２０のデータ構造を示す図である。
重複情報登録テーブル５２０には、図１７に示すように、各表示機器１００ごとに１つのレコードが登録されている。各レコードは、対象の表示機器１００のデバイスＩＤを登録するフィールド５２２と、対象の表示機器１００よりも上方の表示機器１００のデバイスＩＤを登録するフィールド５２４とを含んで構成されている。
【０２３７】
図１７の例では、第５段目のレコードには、対象のデバイスＩＤとして「005」が、上方のデバイスＩＤとして「002、004」がそれぞれ登録されている。これは、表示機器(005)の上方に表示機器(002)，(004)が位置していることを示している。図１６の例によると、表示機器(002)，(004)，(005)は同一グループに属している。そのため、重複情報登録テーブル５２０のうち表示機器(002)，(004)のレコードも参照すると、表示機器(002)の上方に位置するものは存在せず、表示機器(004)の上方に表示機器(002)が位置していることが分かる。したがって、表示機器(002)，(004)，(005)の順で上から順に重なり合っていることを判定できる。
【０２３８】
ＣＰＵ７０は、ＲＯＭ７２の所定領域に格納されている所定のプログラムを起動させ、そのプログラムに従って、図１８のフローチャートに示す重複情報登録処理を他の処理と並列に時分割で実行するようになっている。さらに、図１２のフローチャートに示す検索要求受付処理に代えて、図１９のフローチャートに示す説明情報提供処理を実行するようになっている。
【０２３９】
初めに、重複情報登録処理を図１８を参照しながら詳細に説明する。
図１８は、重複情報登録処理を示すフローチャートである。
重複情報登録処理は、表示機器１００からの重複情報を登録する処理であって、ＣＰＵ７０において実行されると、図１８に示すように、まず、ステップＳ４００に移行するようになっている。
【０２４０】
ステップＳ４００では、重複検出通知を受信したか否かを判定し、重複検出通知を受信したと判定したとき(Yes)は、ステップＳ４０２に移行するが、そうでないと判定したとき(No)は、重複検出通知を受信するまでステップＳ４００で待機する。
ステップＳ４０２では、重複情報を受信し、ステップＳ４０４に移行して、受信した重複検出通知からデバイスＩＤを取得し、取得したデバイスＩＤおよび受信した重複情報に含まれるデバイスＩＤを対応付けて重複情報登録テーブル５２０に登録し、一連の処理を終了して元の処理に復帰させる。
【０２４１】
次に、説明情報提供処理を図１９を参照しながら詳細に説明する。
図１９は、説明情報提供処理を示すフローチャートである。
説明情報提供処理は、表示機器１００に説明情報を提供する処理であって、ＣＰＵ７０において実行されると、図１９に示すように、まず、ステップＳ４５０に移行するようになっている。なお、以下の説明情報提供処理は、１つの表示機器１００に対しての処理であり、実際には、同様の処理を他のすべての表示機器１００に対して行う。具体的には、各表示機器１００ごとにその表示機器１００のデバイスＩＤを説明情報提供処理に与えて実行する。
【０２４２】
ステップＳ４５０では、記憶装置８２のコンテンツデータに基づいて、与えられたデバイスＩＤに対応する表示機器１００で現在表示しているページ（以下、現表示ページという。）に指定用語が含まれているか否かを判定し、現表示ページに指定用語が含まれていると判定したとき(Yes)は、ステップＳ４５２に移行して、現表示ページに含まれる指定用語を対象用語として記憶装置８２のコンテンツデータのなかから取得し、ステップＳ４５４に移行する。
【０２４３】
ステップＳ４５４では、取得した対象用語の解説を含む説明情報が記憶装置８２のコンテンツデータに含まれているか否かを判定し、対象用語の解説を含む説明情報がコンテンツデータに含まれていると判定したとき(Yes)は、ステップＳ４５６に移行する。
ステップＳ４５６では、取得した対象用語の解説を含む説明情報を記憶装置８２のコンテンツデータのなかから取得する。このとき、表示済みページ変数の値に基づいて、コンテンツデータのうち発表者所有の表示機器１００で表示済みのページのなかから説明情報を取得する。
【０２４４】
次いで、ステップＳ４５８に移行して、与えられたデバイスＩＤに対応するグループ情報をグループ管理テーブル５００から読み出し、ステップＳ４６０に移行して、取得した説明情報のなかから、読み出したグループ情報に含まれる情報レベル以上のものを選択し、ステップＳ４６２に移行して、読み出したグループ情報に含まれる各デバイスＩＤに対応する重複情報を重複情報登録テーブル５２０から読み出し、ステップＳ４６４に移行する。
【０２４５】
ステップＳ４６４では、読み出したグループ情報および重複情報に基づいて、最上段の表示機器１００がメイン表示用に設定されているか否かを判定し、最上段の表示機器１００がメイン表示用に設定されていると判定したとき(Yes)は、ステップＳ４６６に移行して、読み出したグループ情報および重複情報に基づいて最上段以外の表示機器１００をメイン表示用に設定し、ステップＳ４６８に移行する。
【０２４６】
ステップＳ４６８では、現表示ページのページデータを記憶装置８２のコンテンツデータのなかから取得し、ステップＳ４７０に移行して、表示機器管理テーブル４３０を参照して、読み出したページデータをメイン表示用の表示機器１００に送信し、ステップＳ４７２に移行する。
ステップＳ４７２では、読み出したグループ情報および重複情報に基づいて最上段の表示機器１００を説明情報表示用に設定し、ステップＳ４７４に移行して、取得した説明情報に基づいてページデータを生成し、ステップＳ４７６に移行して、表示機器管理テーブル４３０を参照して、生成したページデータを説明情報表示用の表示機器１００に送信し、一連の処理を終了して元の処理に復帰させる。
【０２４７】
一方、ステップＳ４６４で、最上段の表示機器１００がメイン表示用に設定されていないと判定したとき(No)は、ステップＳ４７２に移行する。
一方、ステップＳ４５４で、取得した対象用語の解説を含む説明情報が記憶装置８２のコンテンツデータに含まれていないと判定したとき(No)は、ステップＳ４８２に移行する。
【０２４８】
ステップＳ４８２では、取得した対象用語に対応するレコードが辞書データ登録テーブル４２０に含まれているか否かを判定し、対象用語に対応するレコードが辞書データ登録テーブル４２０に含まれていると判定したとき(Yes)は、ステップＳ４８４に移行して、取得した対象用語の解説を含む説明情報を辞書データ登録テーブル４２０から取得し、ステップＳ４５８に移行する。
【０２４９】
一方、ステップＳ４８２で、取得した対象用語に対応するレコードが辞書データ登録テーブル４２０に含まれていないと判定したとき(No)は、ステップＳ４８６に移行して、辞書サーバ管理テーブル４４０を参照してすべての辞書サーバ３００に検索要求を送信し、ステップＳ４８７に移行して、辞書サーバ管理テーブル４４０を参照してすべての辞書サーバ３００に対象用語を送信し、ステップＳ４８８に移行する。
【０２５０】
ステップＳ４８８では、説明情報を受信したか否かを判定し、説明情報を受信したと判定したとき(Yes)は、ステップＳ４５８に移行する。
一方、ステップＳ４８８で、説明情報を受信しないと判定したとき(No)は、ステップＳ４９０に移行して、説明情報が取得できなかった旨の説明情報を生成し、ステップＳ４５８に移行する。
【０２５１】
一方、ステップＳ４５０で、現表示ページに指定用語が含まれていないと判定したとき (No)は、ステップＳ４９２に移行して、記憶装置８２のコンテンツデータのなかから任意の用語を対象用語として取得し、ステップＳ４５４に移行する。
次に、本実施の形態の動作を説明する。
まず、プロジェクタ２００に重複情報を登録する場合を説明する。
【０２５２】
表示機器１００では、重複順序検出処理が所定周期で実行される。重複順序検出処理では、ステップＳ３０２，Ｓ３０４を経て、タグリーダ１７により上方の表示機器１００のデバイスＩＤが検出され、自己のデバイスＩＤが取得される。そして、ステップＳ３０６，Ｓ３０８を経て、取得されたデバイスＩＤを含む重複検出通知とともに、検出されたデバイスＩＤを含む重複情報がプロジェクタ２００に送信される。
【０２５３】
プロジェクタ２００では、重複検出通知とともに重複情報を受信すると、ステップＳ４０４を経て、受信した重複検出通知からデバイスＩＤが取得され、取得されたデバイスＩＤおよび受信した重複情報に含まれるデバイスＩＤが対応付けられて重複情報登録テーブル５２０に登録される。
次に、プレゼンテーションを行う場合を説明する。
【０２５４】
プロジェクタ２００では、各表示機器１００ごとに説明情報提供処理が所定周期で実行される。まず、表示機器管理テーブル４３０の先頭レコードからデバイスＩＤが読み出され、読み出されたデバイスＩＤが引数として説明情報提供処理に与えられる。
説明情報提供処理では、ステップＳ４５０を経て、現表示ページに指定用語が含まれているか否かが判定される。指定用語が含まれている場合は、ステップＳ４５２を経て、現表示ページに含まれる指定用語が対象用語としてコンテンツデータのなかから取得される。一方、指定用語が含まれていない場合は、ステップＳ４９２を経て、コンテンツデータのなかから任意の用語が対象用語として取得される。
【０２５５】
プロジェクタ２００では、対象用語が取得されると、ステップＳ４５４を経て、取得された対象用語の解説を含む説明情報がコンテンツデータに含まれているか否かが判定される。該当の説明情報がコンテンツデータに含まれている場合は、ステップＳ４５６を経て、取得された対象用語の解説を含む説明情報がコンテンツデータのなかから取得される。
一方、該当の説明情報がコンテンツデータに含まれていない場合は、ステップＳ４８２を経て、取得された対象用語に対応するレコードが辞書データ登録テーブル４２０に含まれているか否かが判定される。該当のレコードが辞書データ登録テーブル４２０に含まれている場合は、ステップＳ４８４を経て、取得された対象用語の解説を含む説明情報が辞書データ登録テーブル４２０から取得される。
【０２５６】
一方、該当のレコードが辞書データ登録テーブル４２０に含まれていない場合は、ステップＳ４８６，Ｓ４８７を経て、検索要求とともに対象用語がすべての辞書サーバ３００に送信される。
辞書サーバ３００では、検索要求とともに対象用語を受信すると、説明情報取得部４１により、受信した対象用語の解説を含む説明情報が辞書データのなかから取得され、説明情報送信部４２により、取得された説明情報がプロジェクタ２００に送信される。したがって、プロジェクタ２００では、いずれかの辞書サーバ３００の辞書データに該当の説明情報が存在すれば、その辞書サーバ３００から説明情報が取得される。
【０２５７】
プロジェクタ２００では、説明情報が取得されると、ステップＳ４５８〜Ｓ４６４を経て、取得された説明情報のなかから、設定された情報レベル以上のものが選択され、最上段の表示機器１００がメイン表示用に設定されているか否かが判定される。最上段がメイン表示用に設定されている場合は、ステップＳ４６６〜Ｓ４７０を経て、最上段以外の表示機器１００がメイン表示用に設定され、現表示ページのページデータがコンテンツデータのなかから取得され、読み出されたページデータがメイン表示用の表示機器１００に送信される。そして、ステップＳ４７２〜Ｓ４７６を経て、最上段の表示機器１００が説明情報表示用に設定され、取得された説明情報に基づいてページデータが生成され、生成されたページデータが説明情報表示用の表示機器１００に送信される。
【０２５８】
一方、最上段がメイン表示用に設定されていない場合は、ステップＳ４６６〜Ｓ４７０の処理が実行されない点が異なるほかは、同様の処理が実行される。
図２０は、ページデータに基づいて表示した表示画面の遷移図である。
聴講者は、１人につき複数の表示機器１００を所有し、それらを重ね合わせて利用する。図２０の例では、聴講者は、３つの表示機器１００を所有している。いま、最上段の表示機器１００では、図２０（ａ）に示すように、用語「ＡＢＣ」を含むプレゼンページが表示されているとする。
【０２５９】
この状態においてプロジェクタ２００から説明情報が提供されると、最上段の表示機器１００が説明情報のページデータを受信する。最上段の表示機器１００では、ページデータを受信すると、ステップＳ１５２，Ｓ１５４を経て、図２０（ｂ）に示すように、受信したページデータに基づいて説明情報が表示される。また、上から２段目の表示機器１００がプレゼンページのページデータを受信する。２段目の表示機器１００では、ページデータを受信すると、ステップＳ１５２，Ｓ１５４を経て、図２０（ｂ）に示すように、受信したページデータに基づいてプレゼンページが表示される。
【０２６０】
この状態において操作パネル６０により表示の切り換えを要求すると、図２０（ｃ）に示すように、最下段の表示機器１００で説明情報が表示され、最上段の表示機器１００でプレゼンページが表示される。さらに、この状態において操作パネル６０により表示の切り換えを要求すると、上から２段目の表示機器１００で説明情報が表示され、最下段の表示機器１００でプレゼンページが表示される。すなわち、切換のたびに、各表示画面が上方向に１段ずつシフトしていく。図２０（ｂ）〜（ｄ）の表示パターンは、操作パネル６０により循環的に切り換えることができる。
【０２６１】
このようにして、本実施の形態では、プロジェクタ２００は、コンテンツデータのなかから指定用語を対象用語として取得し、取得した対象用語に対応する説明情報をコンテンツデータまたは辞書データのなかから取得するようになっている。
これにより、コンテンツデータの作成時に対象用語を指定しておけば、その説明情報については比較的確実に参照することができる。
【０２６２】
さらに、本実施の形態では、プロジェクタ２００は、コンテンツデータのなかから任意の用語を対象用語として取得し、取得した対象用語に対応する説明情報をコンテンツデータまたは辞書データのなかから取得するようになっている。
これにより、コンテンツデータの作成時に対象用語を指定しなくても説明情報を参照することができるので、コンテンツデータの作成に要する時間や手間を低減することができる。
【０２６３】
さらに、本実施の形態では、プロジェクタ２００は、取得した説明情報のなかから情報レベル以上のものを選択し、選択した説明情報に基づいてページデータを生成し、生成したページデータを表示機器１００に送信するようになっている。
これにより、聴講者は、自己の知識レベルに応じた内容の説明情報を参照することができるので、プレゼンテーションの理解をさらに促すことができる。
【０２６４】
さらに、本実施の形態では、プロジェクタ２００は、取得した説明情報に基づいてページデータを生成し、同一グループに属する表示機器１００のうち最上段のものにそのページデータを送信するようになっている。
これにより、対象用語および説明情報が別々の表示機器１００で表示されるので、コンテンツデータのうち対象用語を含むページの内容やレイアウトを変更することなく説明情報を参照することができる。また、重なり合っている表示機器１００のうち最上段のもので説明情報が表示されるので、説明情報が参照しやすくなる。
【０２６５】
上記第２の実施の形態において、タグリーダ１７およびステップＳ３０２は、発明１７、３４または５８の重複順序検出手段に対応し、ステップＳ３０２は、発明８２の重複順序検出ステップに対応し、説明情報取得部２３、Ｉ／Ｆ７８およびステップＳ４５０〜Ｓ４５６，Ｓ４８２〜Ｓ４９２は、発明１ないし６、８、９、１６ないし２３、２５、２６、３３または３４の補助情報取得手段に対応している。また、ステップＳ４５０〜Ｓ４５６，Ｓ４８２〜Ｓ４９２は、発明４２ないし４７、４９、５０、５７、５８、６６ないし７１、７３、７４、８１または８２の補助情報取得ステップに対応し、グループ管理部３１およびグループ管理テーブル５００は、発明３３のグループ管理手段に対応している。
【０２６６】
また、上記第２の実施の形態において、ページデータ送信部３３、Ｉ／Ｆ７８およびステップＳ４５８〜Ｓ４７６は、発明１８、２６、３３または３４の補助情報送信手段に対応し、ステップＳ４５８〜Ｓ４７６は、発明４２、５０、５７または５８の補助情報送信ステップに対応している。また、ページデータ受信部１０、表示制御部１３、ページデータ送信部３３、Ｉ／Ｆ５８、Ｉ／Ｆ７８およびステップＳ１５０，Ｓ１５４，Ｓ４５８〜Ｓ４７６は、発明１、９、１６または１７の機器表示制御手段に対応し、ステップＳ１５０，Ｓ１５４，Ｓ４５８〜Ｓ４７６は、発明６６、７４、８１または８２の機器表示制御ステップに対応している。
【０２６７】
なお、上記第２の実施の形態において、プロジェクタ２００は、取得した説明情報のなかから情報レベル以上のものを選択し、選択した説明情報に基づいてページデータを生成し、生成したページデータを表示機器１００に送信するように構成したが、これに限らず、説明情報の選択を表示機器１００で行うように構成することもできる。具体的には、プロジェクタ２００は、取得した説明情報を表示機器１００に送信する。表示機器１００は、説明情報を受信したときは、受信した説明情報のなかから情報レベル以上のものを選択し、選択した説明情報に基づいてページデータを生成し、生成したページデータに基づいてページを表示する。
【０２６８】
また、上記第１の実施の形態において、プロジェクタ２００は、取得した説明情報を追加したページデータを生成し、生成したページデータを表示機器１００に送信するように構成したが、これに限らず、説明情報を追加したページデータを表示機器１００で生成するように構成することもできる。具体的には、プロジェクタ２００は、取得した説明情報を表示機器１００に送信する。表示機器１００は、説明情報を受信したときは、表示部１２で現在表示しているページのページデータを記憶装置６２から読み出し、受信した説明情報および読み出したページデータに基づいて、説明情報を追加したページデータを生成し、生成したページデータに基づいてページを表示する。
【０２６９】
また、上記第２の実施の形態において、プロジェクタ２００は、複数の表示機器１００をグループ化して管理し、取得した説明情報に基づいてページデータを生成し、同一グループに属する表示機器１００のうち最上段のものにそのページデータを送信するように構成したが、これに限らず、説明情報およびプレゼンページをどの表示機器１００で表示するかを表示機器１００で管理するように構成することもできる。具体的には、次のような構成を提案することができる。
【０２７０】
プロジェクタ２００は、複数の表示機器１００のうちいずれかに説明情報を送信する。
表示機器１００は、ＣＰＵ５０により、ＲＯＭ５２の所定領域に格納されている所定のプログラムを起動させ、そのプログラムに従って、図２１のフローチャートに示す説明情報転送処理を他の処理と並列に時分割で実行するようになっている。
図２１は、説明情報転送処理を示すフローチャートである。
【０２７１】
説明情報転送処理は、他の表示機器１００に説明情報を転送する処理であって、ＣＰＵ５０において実行されると、図２１に示すように、まず、ステップＳ５００に移行するようになっている。
ステップＳ５００では、説明情報を受信したか否かを判定し、説明情報を受信したと判定したとき(Yes)は、ステップＳ５０２に移行するが、そうでないと判定したとき(No)は、説明情報を受信するまでステップＳ５００で待機する。
【０２７２】
ステップＳ５０２では、タグリーダ１７により上方の表示機器１００のデバイスＩＤを検出し、ステップＳ５０４に移行して、その検出結果に基づいて自己が最上段の表示機器１００であるか否かを判定し、自己が最上段の表示機器１００であると判定したとき(Yes)は、ステップＳ５０６に移行する。
ステップＳ５０６では、自己がプレゼンページを表示しているか否かを判定し、プレゼンページを表示していると判定したとき(Yes)は、ステップＳ５０８に移行して、表示中のページのページデータを記憶装置６２から読み出し、ステップＳ５１０に移行して、読み出したページデータを他の表示機器１００に送信し、ステップＳ５１２に移行する。
【０２７３】
ステップＳ５１２では、受信した説明情報に基づいてページデータを生成し、ステップＳ５１４に移行して、生成したページデータに基づいてページを表示し、一連の処理を終了して元の処理に復帰させる。
一方、ステップＳ５０６で、プレゼンページを表示していないと判定したとき(No)は、ステップＳ５１２に移行する。
【０２７４】
一方、ステップＳ５０４で、自己が最上段の表示機器１００でないと判定したとき(No)は、ステップＳ５１６に移行して、受信した説明情報を最上段の表示機器１００に送信し、一連の処理を終了して元の処理に復帰させる。
この場合において、Ｉ／Ｆ５８およびステップＳ５００は、発明４０または４１の補助情報受信手段に対応し、ステップＳ５００は、発明６４または６５の補助情報受信ステップに対応し、タグリーダ１７およびステップＳ５０２は、発明４１の重複順序検出手段に対応している。また、ステップＳ５０２は、発明６５の重複順序検出ステップに対応し、ステップＳ５０４〜Ｓ５１６は、発明４０若しくは４１の表示制御手段、または発明６４若しくは６５の表示制御ステップに対応している。
【０２７５】
また、上記第２の実施の形態において、プロジェクタ２００は、取得した説明情報のなかから情報レベル以上のものを選択するように構成したが、これに限らず、聴講者独自の辞書データを設け、辞書データを参照して説明情報を選択するように構成することもできる。具体的には、次のような構成を提案することができる。
プロジェクタ２００は、説明情報を表示機器１００に送信する。
【０２７６】
表示機器１００は、辞書データ登録テーブル５４０を記憶装置６２に格納している。
図２２は、辞書データ登録テーブル５４０のデータ構造を示す図である。
辞書データ登録テーブル５４０には、図２２に示すように、各用語ごとに１つのレコードが登録されている。各レコードは、用語を登録したフィールド５４２と、用語の解説を含む説明情報を登録したフィールド５４４とを含んで構成されている。図２２の例では、用語として「ＡＢＣ」が登録されている。
【０２７７】
ＣＰＵ５０は、ＲＯＭ５２の所定領域に格納されている所定のプログラムを起動させ、図４のフローチャートに示す外部情報受付処理に代えて、図２３のフローチャートに示す外部情報受付処理を実行するようになっている。
図２３は、外部情報受付処理を示すフローチャートである。
外部情報受付処理は、ＣＰＵ５０において実行されると、図２３に示すように、まず、ステップＳ６００に移行するようになっている。
【０２７８】
ステップＳ６００では、説明情報を受信したか否かを判定し、説明情報を受信したと判定したとき(Yes)は、ステップＳ６０２に移行するが、そうでないと判定したとき(No)は、説明情報を受信するまでステップＳ６００で待機する。
ステップＳ６０２では、受信した説明情報のなかから、辞書データ登録テーブル５４０に登録されている用語に対応する説明情報を除外し、ステップＳ６０４に移行して、登録用語を除外した説明情報に基づいてページデータを生成し、ステップＳ６０６に移行して、生成したページデータに基づいてページを表示し、一連の処理を終了して元の処理に復帰させる。
【０２７９】
図２４は、ページデータに基づいて表示した表示画面の例を示す図である。
例えば、辞書データ登録テーブル５４０に用語「ＡＢＣ」が登録されていない場合、表示機器１００では、用語「ＡＢＣ」の解説を含む説明情報を受信すると、図２４（ａ）に示すように、表示部１２の表示領域が横方向に２分割され、用語「ＡＢＣ」を含むプレゼンページが左半分の表示領域に、用語「ＡＢＣ」の解説を含む説明情報が右半分の表示領域にそれぞれ表示される。
【０２８０】
これに対し、辞書データ登録テーブル５４０に用語「ＡＢＣ」が登録されている場合、表示機器１００では、用語「ＡＢＣ」の解説を含む説明情報を受信すると、図２４（ｂ）に示すように、表示部１２の表示領域が横方向に２分割され、用語「ＡＢＣ」を含むプレゼンページが左半分の表示領域に表示されるが、右半分の表示領域には説明情報が表示されない。
【０２８１】
これにより、聴講者は、自分が熟知している用語を辞書データ登録テーブル５４０に登録しておけば、その用語については説明情報の表示が省略されるので、聴講者の知識レベルに応じた情報提供を実現することができる。したがって、プレゼンテーションの理解をさらに促すことができる。
また、上記第２の実施の形態において、プロジェクタ２００は、取得した説明情報のなかから情報レベル以上のものを選択するように構成したが、これに限らず、聴講者独自の辞書データを設け、辞書データを参照して説明情報を選択するように構成することもできる。具体的には、次のような構成を提案することができる。
【０２８２】
プロジェクタ２００は、説明情報を表示機器１００に送信する。
表示機器１００は、辞書データ登録テーブル５４０を記憶装置６２に格納している。
図２５は、辞書データ登録テーブル５４０のデータ構造を示す図である。
辞書データ登録テーブル５４０には、図２５に示すように、各用語ごとに１つのレコードが登録されている。各レコードは、用語を登録したフィールド５４２と、用語の解説を含む説明情報を登録したフィールド５４４とを含んで構成されている。図２５の例では、用語として「ＤＥＦ」が登録されている。
【０２８３】
ＣＰＵ５０は、ＲＯＭ５２の所定領域に格納されている所定のプログラムを起動させ、図４のフローチャートに示す外部情報受付処理に代えて、図２６のフローチャートに示す外部情報受付処理を実行するようになっている。
図２６は、外部情報受付処理を示すフローチャートである。
外部情報受付処理は、ＣＰＵ５０において実行されると、図２６に示すように、まず、ステップＳ７００に移行するようになっている。
【０２８４】
ステップＳ７００では、説明情報を受信したか否かを判定し、説明情報を受信したと判定したとき(Yes)は、ステップＳ７０２に移行するが、そうでないと判定したとき(No)は、説明情報を受信するまでステップＳ７００で待機する。
ステップＳ７０２では、受信した説明情報において、辞書データ登録テーブル５４０に登録されている用語に対応する説明情報をマークし、ステップＳ７０４に移行して、受信した説明情報に基づいて、マーク箇所を強調処理（例えば、ハイライト処理）したページデータを生成し、ステップＳ７０６に移行して、生成したページデータに基づいてページを表示し、一連の処理を終了して元の処理に復帰させる。
【０２８５】
図２７は、ページデータに基づいて表示した表示画面の例を示す図である。
例えば、辞書データ登録テーブル５４０に用語「ＤＥＦ」が登録されていない場合、表示機器１００では、用語「ＤＥＦ」の解説を含む説明情報を受信すると、図２７（ａ）に示すように、表示部１２の表示領域が横方向に２分割され、用語「ＤＥＦ」を含むプレゼンページが左半分の表示領域に、用語「ＤＥＦ」の解説を含む説明情報が右半分の表示領域にそれぞれ表示される。このとき、説明情報は通常の形態で表示される。
【０２８６】
これに対し、辞書データ登録テーブル５４０に用語「ＤＥＦ」が登録されている場合、表示機器１００では、用語「ＤＥＦ」の解説を含む説明情報を受信すると、図２７（ｂ）に示すように、表示部１２の表示領域が横方向に２分割され、用語「ＤＥＦ」の解説を含む説明情報が右半分の表示領域に表示されるが、説明情報がハイライト表示される。
これにより、聴講者は、自分が興味ある用語を辞書データ登録テーブル５４０に登録しておけば、その用語については説明情報が強調表示されるので、聴講者の興味に沿った情報提供を実現することができる。したがって、プレゼンテーションの理解をさらに促すことができる。
【０２８７】
また、上記第１および第２の実施の形態においては、プロジェクタ２００を設けて構成したが、これに限らず、プロジェクタ２００を設けず、その代わりに、プロジェクタ２００の機能を表示機器１００に設けて構成することもできる。この場合、上記第１の実施の形態にあっては、コンテンツデータ記憶部２０、辞書データ記憶部２１、説明情報取得部２３、ページデータ生成部２４、ページデータ送信部２５、マイク２６、カメラ２７、表示履歴情報記憶部２８、表示履歴情報登録部２９および表示履歴情報提供部３０を表示機器１００に設ければよい。また、上記第２の実施の形態にあっては、コンテンツデータ記憶部２０、辞書データ記憶部２１、説明情報取得部２３、グループ管理部３１、重複情報記憶部３２およびページデータ送信部３３を表示機器１００に設ければよい。もちろん、これらを複数の表示機器１００に分散して設けてもよい。
【０２８８】
また、上記第１および第２の実施の形態において、図３、図４、図１１、図１２、図１５、図１８および図１９のフローチャートに示す処理を実行するにあたってはいずれも、ＲＯＭ５２，７２にあらかじめ格納されている制御プログラムを実行する場合について説明したが、これに限らず、これらの手順を示したプログラムが記憶された記憶媒体から、そのプログラムをＲＡＭ５４，７４に読み込んで実行するようにしてもよい。このことは、図２１、図２３および図２６のフローチャートに示す処理についても同様である。
【０２８９】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０２９０】
また、上記第１および第２の実施の形態においては、本発明に係る表示制御システム、機器管理装置、表示機器、機器管理プログラムおよび表示制御プログラム、並びに表示制御方法を、複数の表示機器１００を利用してプレゼンテーションを行う場合について適用したが、これに限らず、本発明の主旨を逸脱しない範囲で他の場合にも適用可能である。
【符号の説明】
【０２９１】
１００…表示機器，  ２００…プロジェクタ，  ３００…辞書サーバ，  １０…ページデータ受信部，  １１…ページデータ記憶部，  １２…表示部，  １３…表示制御部，  １４…ページ操作部，  １５…用語検索要求入力部，  １６…ＲＦＩＤ非接触型ＩＣタグ，  １７…タグリーダ，  ２０…コンテンツデータ記憶部，  ２１，４０…辞書データ記憶部，  ２２…投影部，  ２３，４１…説明情報取得部，  ２４…ページデータ生成部，  ２５，３３…ページデータ送信部，  ２６…マイク，  ２７…カメラ，  ２８…表示履歴情報記憶部，  ２９…表示履歴情報登録部，  ３０…表示履歴情報提供部，  ３１…グループ管理部，  ３２…重複情報記憶部，  ４２…説明情報送信部，  ５０，７０…ＣＰＵ，  ５２，７２…ＲＯＭ，  ５４，７４…ＲＡＭ，  ５８，７８…Ｉ／Ｆ，  ５９，７９…バス，  ６０，８０…操作パネル，  ６２，８２…記憶装置，  ４２０，５４０…辞書データ登録テーブル，  ４３０…表示機器管理テーブル，  ４４０…辞書サーバ管理テーブル，  ４６０…表示履歴登録テーブル，  ５００…グループ管理テーブル，  ５２０…重複情報登録テーブル，  １９９…ネットワーク。
【図１】
2010073219.tif 000003
【図２】
2010073219.tif 000004
【図３】
2010073219.tif 000005
【図４】
2010073219.tif 000006
【図５】
2010073219.tif 000007
【図６】
2010073219.tif 000008
【図７】
2010073219.tif 000009
【図８】
2010073219.tif 000010
【図９】
2010073219.tif 000011
【図１０】
2010073219.tif 000012
【図１１】
2010073219.tif 000013
【図１２】
2010073219.tif 000014
【図１３】
2010073219.tif 000015
【図１４】
2010073219.tif 000016
【図１５】
2010073219.tif 000017
【図１６】
2010073219.tif 000018
【図１７】
2010073219.tif 000019
【図１８】
2010073219.tif 000020
【図１９】
2010073219.tif 000021
【図２０】
2010073219.tif 000022
【図２１】
2010073219.tif 000023
【図２２】
2010073219.tif 000024
【図２３】
2010073219.tif 000025
【図２４】
2010073219.tif 000026
【図２５】
2010073219.tif 000027
【図２６】
2010073219.tif 000028
【図２７】
2010073219.tif 000029
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
表示機器の表示を制御する表示制御システムであって、
辞書データを記憶する辞書データ記憶部と、
検索対象となる対象情報を選択する検索要求を受信した場合に、表示データのなかに前記対象情報の補助となる補助情報が含まれているか否かを判定し、前記補助情報が含まれていると判定した場合には、前記表示データのなかから前記補助情報を含む表示領域のデータを前記補助情報として取得し、前記補助情報が含まれていないと判定した場合には、前記辞書データ記憶部の辞書データのなかから、対象情報の解説を含む情報を前記補助情報として取得する補助情報取得手段と、
前記補助情報取得手段で取得した補助情報を、前記表示データに含まれる該当の対象情報と対応付けて表示する表示機器と、
を有する表示制御システム。
【請求項２】
請求項１において、
さらに、前記表示データのうち前記表示機器で表示済みの表示領域を記録する表示領域記録手段を備え、
前記補助情報取得手段は、前記表示領域記録手段の記録結果に基づいて、前記表示データのうち前記表示機器で表示済みの表示領域のなかから、前記補助情報を含む表示領域のデータを前記補助情報として取得するようになっていること
を特徴とする表示制御システム。
【請求項３】
請求項１ないし２のいずれか１項において、
前記補助情報を蓄積する補助情報蓄積装置を通信可能に接続し、
前記補助情報取得手段は、前記補助情報蓄積装置から前記補助情報を取得するようになっていること
を特徴とする表示制御システム。
【請求項４】
請求項１ないし３のいずれか１項において、
前記補助情報は、所定の情報レベルが設定されており、
さらに、前記情報レベルを設定する情報レベル設定手段を備え、
前記機器表示制御手段は、前記補助情報取得手段で取得した補助情報のうち前記情報レベル設定手段で設定した情報レベル以上のものを前記表示機器で表示するようになっていること
を特徴とする表示制御システム。
【請求項５】
請求項１ないし４のいずれか１項において、
さらに、音声を入力する音声入力手段を備え、
前記機器表示制御手段は、前記音声入力手段から音声を所定時間以上入力しないと判定したときは、前記補助情報を前記表示機器で表示するようになっていること
を特徴とする表示制御システム。
【請求項６】
請求項１ないし５のいずれか１項において、
さらに、画像を入力する画像入力手段を備え、
前記機器表示制御手段は、前記画像入力手段で入力した画像が所定時間以上変化しないと判定したときは、前記補助情報を前記表示機器で表示するようになっていること
を特徴とする表示制御システム。
【請求項７】
請求項１ないし６のいずれか１項において、
さらに、前記表示機器で前記補助情報を表示した表示履歴を示す表示履歴情報を表示履歴情報記録手段に登録する表示履歴情報登録手段を備えること
を特徴とする表示制御システム。
【請求項８】
請求項７において、
さらに、表示履歴情報記録手段の表示履歴情報を提供する表示履歴情報提供手段を備えること
を特徴とする表示制御システム。
【請求項９】
請求項１ないし８のいずれか１項において、
さらに、前記補助情報で取得した補助情報を、前記表示データのうち該当の対象情報を含む表示領域のデータに追加した追加表示データを生成する追加表示データ生成手段を備え、
前記機器表示制御手段は、前記追加表示データに基づいて表示制御を行うようになっていること
を特徴とする表示制御システム。